(57)【要約】【課題】小型で、かつ、原稿の回収を容易にする。【解決手段】画像読取装置１は、搬送装置と読取装置３２と搬送路切替部７１とスタッカとを備えている。搬送装置は、原稿を搬送する。読取装置３２は、搬送装置により原稿が搬送されるときに、その原稿から画像を読み取る。搬送路切替部７１は、その原稿が読取装置３２により読み取られた後に、Ｕターンパス案内位置に配置されることによりその原稿をＵターン搬送路６７に案内し、ストレートパス案内位置に配置されることによりその原稿をストレート搬送路６８に案内する。スタッカは、Ｕターン搬送路６７を介して原稿が搬送された後に、その原稿が載置される。搬送路切替部７１は、ストレートパス案内位置に配置された場合で、ストレート搬送路６８を介して原稿が搬送された後に、その原稿を保持する。【選択図】図９
2018090365.tif 000002
【特許請求の範囲】
【請求項１】
原稿を搬送する搬送部と、
前記搬送部により前記原稿が搬送されるときに、前記原稿から画像を読み取る読取部と、
前記原稿が前記読取部により読み取られた後に、第１位置に配置されることにより前記原稿を第１搬送路に案内し、第２位置に配置されることにより前記原稿を第２搬送路に案内する切替部と、
前記第１搬送路を介して前記原稿が搬送された後に、前記原稿が載置されるスタッカとを備え、
前記切替部は、前記第２位置に配置された場合で、前記第２搬送路を介して前記原稿が搬送された後に、前記原稿を保持する
画像読取装置。
【請求項２】
前記切替部は、前記第２位置に配置される場合で前記原稿が前記切替部に保持されるときに前記原稿が引っ掛かるストッパが形成される
請求項１に記載の画像読取装置。
【請求項３】
前記第１搬送路の一部を形成する搬送ガイドをさらに備え、
前記切替部は、第１櫛歯が形成され、
前記搬送ガイドは、前記切替部が前記第１位置に配置されるときに前記第１櫛歯に噛み合う第２櫛歯が形成される
請求項１または請求項２に記載の画像読取装置。
【請求項４】
前記原稿が第１原稿であるか第２原稿であるかを検出するセンサと、
前記切替部を移動させるアクチュエータと、
前記原稿が前記第２原稿であると検出されたときに前記切替部が前記第２位置に移動するように、前記アクチュエータを制御する制御部とを備え、
前記原稿が前記第１搬送路を通過するときに前記原稿が変形する程度は、前記原稿が前記第２搬送路を通過するときに前記原稿が変形する程度より大きい
請求項１〜請求項３のいずれか一項に記載の画像読取装置。
【請求項５】
前記制御部は、前記原稿が前記第１原稿であると検出されたときに前記切替部が前記第１位置に移動するように、前記アクチュエータを制御する
請求項４に記載の画像読取装置。
【請求項６】
他のスタッカをさらに備え、
前記制御部は、前記切替部が前記原稿を保持した後に、前記切替部が第３位置に移動するように前記アクチュエータを制御し、
前記切替部は、前記切替部が前記原稿を保持した後に前記第３位置に配置されることにより、前記原稿が前記他のスタッカに載置されるように前記原稿を移動させる
請求項５に記載の画像読取装置。
【請求項７】
前記搬送部は、前記読取部から前記切替部に前記原稿を搬送するローラを備え、
前記ローラは、さらに、前記切替部から前記他のスタッカに前記原稿を搬送する
請求項６に記載の画像読取装置。
【請求項８】
前記切替部は、前記第１位置に配置されるときに、前記原稿が前記切替部に保持されるように、前記原稿が引っ掛かる他のストッパが形成される
請求項５に記載の画像読取装置。
【請求項９】
前記切替部は、
第４位置に配置されることにより前記原稿を前記第１搬送路に案内し、第５位置に配置されることにより前記原稿を前記第２搬送路に案内する第１切替部と、
前記第１切替部が前記第５位置に配置されるときに、第６位置に配置されることにより、前記第２搬送路を介して前記原稿が搬送された後に、前記原稿を保持する第２切替部とを有する
請求項１〜請求項８のいずれか一項に記載の画像読取装置。
【請求項１０】
前記第２切替部は、前記第１切替部が前記第４位置に配置されているときに、第７位置に配置されることにより、前記第１切替部を前記第４位置に保持する
請求項９に記載の画像読取装置。
【請求項１１】
前記切替部が前記原稿を保持しているかどうかを検出する他のセンサをさらに備え、
前記制御部は、
前記原稿が前記第２搬送路に案内された後に、前記原稿と異なる次の原稿が搬送されないように前記搬送部を制御し、
前記切替部が前記原稿を保持していないことが検出されたときに、前記次の原稿が搬送されるように前記搬送部を制御する
請求項５に記載の画像読取装置。
【請求項１２】
媒体を搬送する搬送部と、
前記媒体が前記搬送部により搬送された後に、第１位置に配置されることにより前記媒体を第１搬送路に案内し、第２位置に配置されることにより前記媒体を第２搬送路に案内する切替部と、
前記第１搬送路を介して前記媒体が搬送された後に、前記媒体が載置されるスタッカとを備え、
前記切替部は、前記第２位置に配置された場合で、前記第２搬送路を介して前記媒体が搬送された後に、前記媒体を保持する
媒体搬送装置。
【発明の詳細な説明】
【技術分野】
【０００１】
本発明は、画像読取装置および媒体搬送装置に関する。
【背景技術】
【０００２】
原稿をＵターンさせて搬送する画像読取装置が知られている。このような画像読取装置は、給紙される原稿が載置される原稿台が装置の後方に設けられ、排紙された原稿が載置されるスタッカが原稿台の前方上部に設けられることにより、設置スペースを低減することができる。このような画像読取装置は、原稿を屈曲させないで搬送するストレートパスをさらに有し、その原稿が適切に搬送されるように、その原稿を搬送させるパスを切り替えることができる（特許文献１〜２参照）。
【先行技術文献】
【特許文献】
【０００３】
【特許文献１】特開２０１３−５２９２９号公報
【特許文献２】特開２００７−４９３００号公報
【発明の概要】
【発明が解決しようとする課題】
【０００４】
しかしながら、このような画像読取装置は、そのストレートパスを介して排紙された原稿が保持される他のスタッカが設けられておらず、そのストレートパスを介して排紙された原稿が回収しづらいという問題がある。このような画像読取装置は、そのストレートパスを介して排紙された原稿が保持される他のスタッカが設けられたときに、装置サイズが大きくなるという問題がある。
【０００５】
開示の技術は、かかる点に鑑みてなされたものであって、小型で、かつ、原稿の回収を容易にする画像読取装置および媒体搬送装置を提供することを目的とする。
【課題を解決するための手段】
【０００６】
開示の態様では、画像読取装置は、搬送部と読取部と切替部とスタッカとを備えている。搬送部は、原稿を搬送する。読取部は、前記搬送部により前記原稿が搬送されるときに、前記原稿から画像を読み取る。切替部は、前記原稿が前記読取部により読み取られた後に、第１位置に配置されることにより前記原稿を第１搬送路に案内し、第２位置に配置されることにより前記原稿を第２搬送路に案内する。スタッカは、前記第１搬送路を介して前記原稿が搬送された後に、前記原稿が載置される。前記切替部は、前記第２位置に配置された場合で、前記第２搬送路を介して前記原稿が搬送された後に、前記原稿を保持する。
【発明の効果】
【０００７】
開示の画像読取装置および媒体搬送装置は、小型で、かつ、原稿の回収を容易にすることができる。
【図面の簡単な説明】
【０００８】
【図１】図１は、実施例１の画像読取装置を示す側面図である。
【図２】図２は、スタッカとシュータとを示す斜視図である。
【図３】図３は、スタッカが格納されているときの画像読取装置を示す側面図である。
【図４】図４は、スタッカが格納されているときのスタッカとシュータとを示す斜視図である。
【図５】図５は、シュータが格納されているときの画像読取装置を示す側面図である。
【図６】図６は、シュータが格納されているときのスタッカとシュータとを示す斜視図である。
【図７】図７は、搬送装置と読取装置とを示す断面図である。
【図８】図８は、搬送装置の一部を示す概略断面図である。
【図９】図９は、搬送路切替部がストレートパス案内位置に配置されているときの搬送装置の一部を示す概略断面図である。
【図１０】図１０は、搬送ガイドと、ストレートパス案内位置に配置されている搬送路切替部とを示す斜視図である。
【図１１】図１１は、Ｕターンパス案内位置に配置されている搬送路切替部を示す斜視図である。
【図１２】図１２は、ストレートパス案内位置に配置されている搬送路切替部を示す他の概略断面図である。
【図１３】図１３は、実施例１の画像読取装置を示すブロック図である。
【図１４】図１４は、実施例１の画像読取装置の動作を示すフローチャートである。
【図１５】図１５は、実施例１の画像読取装置の動作の変形例を示すフローチャートである。
【図１６】図１６は、搬送路切替部が配置されるストレートパス案内位置の変形例を示す概略断面図である。
【図１７】図１７は、第１変形例の搬送ガイドと、ストレートパス案内位置に配置されている第１変形例の搬送路切替部とを示す斜視図である。
【図１８】図１８は、第１変形例の搬送ガイドとＵターンパス案内位置に配置されている第１変形例の搬送路切替部とを示す斜視図である。
【図１９】図１９は、ストレートパス案内位置に配置されている第２変形例の搬送路切替部を示す斜視図である。
【図２０】図２０は、第２変形例の搬送ガイドとＵターンパス案内位置に配置されている第２変形例の搬送路切替部とを示す斜視図である。
【図２１】図２１は、実施例２の画像読取装置の搬送装置の一部を示す概略断面図である。
【図２２】図２２は、実施例３の画像読取装置の搬送装置の一部を示す概略断面図である。
【図２３】図２３は、実施例３の画像読取装置の搬送路切替部がストレートパス案内位置に配置されている状態を示す概略断面図である。
【図２４】図２４は、実施例３の画像読取装置の搬送路切替部がＵターンパス案内位置に配置されている状態を示す概略断面図である。
【図２５】図２５は、実施例３の画像読取装置の動作を示すフローチャートである。
【図２６】図２６は、実施例４の画像読取装置の搬送装置の一部を示す概略断面図である。
【図２７】図２７は、実施例４の画像読取装置の搬送路切替部がストレートパス案内位置に配置されている状態を示す概略断面図である。
【図２８】図２８は、実施例４の画像読取装置の搬送路切替部がストレートパス案内位置に配置されている状態を示す斜視図である。
【図２９】図２９は、実施例４の画像読取装置の搬送路切替部がＵターンパス案内位置に配置されている状態を示す概略断面図である。
【図３０】図３０は、実施例４の画像読取装置の搬送路切替部がＵターンパス案内位置に配置されている状態を示す斜視図である。
【図３１】図３１は、実施例５の画像読取装置の搬送装置の一部を示す概略断面図である。
【図３２】図３２は、実施例５の画像読取装置の搬送路切替部がストレートパス案内位置に配置されている状態を示す概略断面図である。
【図３３】図３３は、実施例５の画像読取装置の搬送路切替部がストレートパス案内位置に配置されている状態を示す斜視図である。
【図３４】図３４は、実施例５の画像読取装置の搬送路切替部がＵターンパス案内位置に配置されている状態を示す概略断面図である。
【図３５】図３５は、実施例５の画像読取装置の搬送路切替部がＵターンパス案内位置に配置されている状態を示す斜視図である。
【図３６】図３６は、実施例６の画像読取装置の搬送装置の一部を示す概略断面図である。
【図３７】図３７は、実施例６の画像読取装置の搬送路切替部がストレートパス案内位置に配置されている状態を示す概略断面図である。
【図３８】図３８は、実施例６の画像読取装置の搬送路切替部が原稿を保持している状態を示す概略断面図である。
【図３９】図３９は、実施例６の画像読取装置の搬送路切替部がストレートパス案内位置からＵターンパス案内位置に移動する途中の状態を示す概略断面図である。
【図４０】図４０は、実施例６の画像読取装置の搬送路切替部がＵターンパス案内位置に配置されている状態を示す概略断面図である。
【図４１】図４１は、実施例７の画像読取装置の搬送装置の一部を示す概略断面図である。
【図４２】図４２は、実施例７の画像読取装置の搬送路切替部がＵターンパス案内位置に配置されている状態を示す斜視図である。
【図４３】図４３は、実施例７の画像読取装置の搬送路切替部がストレートパス案内位置に配置されている状態を示す概略断面図である。
【図４４】図４４は、実施例７の画像読取装置の搬送路切替部がストレートパス案内位置に配置されている状態を示す斜視図である。
【図４５】図４５は、実施例７の画像読取装置の搬送路切替部が他のＵターンパス案内位置に配置されている状態を示す概略断面図である。
【図４６】図４６は、実施例７の画像読取装置の搬送路切替部が他のＵターンパス案内位置に配置されている状態を示す斜視図である。
【図４７】図４７は、実施例８の画像読取装置の搬送装置の一部を示す概略断面図である。
【図４８】図４８は、実施例８の画像読取装置の搬送路切替部がストレートパス案内位置に配置されている状態を示す概略断面図である。
【図４９】図４９は、実施例８の画像読取装置の搬送路切替部がストレートパス案内位置に配置されている状態を示す斜視図である。
【図５０】図５０は、実施例８の画像読取装置の搬送路切替部がカード移動位置に配置されている状態を示す概略断面図である。
【図５１】図５１は、実施例８の画像読取装置の搬送路切替部がカード移動位置に配置されている他の状態を示す概略断面図である。
【図５２】図５２は、実施例８の画像読取装置の搬送路切替部がカード移動位置に配置されているさらに他の状態を示す概略断面図である。
【図５３】図５３は、実施例８の画像読取装置の搬送路切替部がＵターンパス案内位置に配置されている状態を示す概略断面図である。
【図５４】図５４は、実施例８の画像読取装置の搬送路切替部がＵターンパス案内位置に配置されている状態を示す斜視図である。
【図５５】図５５は、実施例８の画像読取装置の動作を示すフローチャートである。
【発明を実施するための形態】
【０００９】
以下に、本願が開示する実施形態にかかる画像読取装置について、図面を参照して説明する。なお、以下の記載により本発明が限定されるものではない。また、以下の記載においては、同一の構成要素に同一の符号を付与し、重複する説明を省略する。
【実施例１】
【００１０】
［画像読取装置］
図１は、実施例１の画像読取装置１を示す側面図である。画像読取装置１は、図１に示されているように、筐体２とシュータ３とシュータ支持部５とスタッカ６とスタッカ支持部７とを備えている。筐体２は、箱型に形成され、画像読取装置１が設置される設置面に載置される。シュータ３は、板状に形成され、概ね平坦であるシュータ載置面１１が形成されている。シュータ３は、画像読取装置１の設置面が水平であるときに、シュータ載置面１１が斜め上方を向き、シュータ載置面１１が画像読取装置１の設置面となす角が５５度に等しくなるように、筐体２の奥側（図１で右側）の上部に配置されている。シュータ支持部５は、筐体２に対して回転軸１２を中心にシュータ３が回転することができるように、シュータ３を支持している。回転軸１２は、画像読取装置１の設置面に平行であり、かつ、シュータ載置面１１に平行である。シュータ支持部５は、さらに、シュータ載置面１１が画像読取装置１の設置面となす角が５５度より小さくならないように、シュータ３が回転することを抑止している。すなわち、シュータ支持部５は、図１に示されているような状態から重力によりシュータ３が回転軸１２を中心に時計回りに回転しないように、シュータ３を支持している。
【００１１】
スタッカ６は、板状に形成され、概ね平坦であるスタッカ載置面１５が形成されている。スタッカ６は、スタッカ載置面１５がシュータ載置面１１と概ね平行になるように、すなわち、スタッカ載置面１５が斜め上方を向き、スタッカ載置面１５が画像読取装置１の設置面となす角が５５度に等しくなるように、筐体２の手前側（図１で左側）の上部に配置されている。スタッカ６は、このように配置されることにより、シュータ載置面１１の一部を覆っている。スタッカ支持部７は、筐体２に対して回転軸１６を中心にスタッカ６が回転することができるように、スタッカ６を支持している。回転軸１６は、回転軸１２に平行であり、すなわち、画像読取装置１の設置面に平行であり、かつ、スタッカ載置面１５に平行である。スタッカ支持部７は、さらに、スタッカ載置面１５が画像読取装置１の設置面となす角が５５度より大きくならないように、スタッカ６が回転することを抑止している。すなわち、スタッカ支持部７は、図１に示されているような状態からスタッカ６が回転軸１６を中心に反時計回りに回転しないように、スタッカ６を支持している。
【００１２】
画像読取装置１は、スタッカ格納領域１８が形成されている。スタッカ格納領域１８は、筐体２の上部のうちのシュータ３とスタッカ６との間に形成されている。すなわち、スタッカ格納領域１８は、筐体２の上部のうちのスタッカ６の回転軸１６より奥側に配置され、筐体２の上部のうちのシュータ３の回転軸１２より手前側に配置されている。
【００１３】
図２は、スタッカ６とシュータ３とを示す斜視図である。画像読取装置１は、図２に示されているように、さらに、フレーム２０を備えている。フレーム２０は、筐体２の内部に配置され、筐体２に固定されている。スタッカ６は、第１スタッカ部材２１と第２スタッカ部材２２と第３スタッカ部材２３とを備えている。第１スタッカ部材２１は、板状に形成され、スタッカ載置面１５の一部を形成している。第１スタッカ部材２１は、回転軸１６を中心に回転可能に、スタッカ支持部７によりフレーム２０に支持されている。第２スタッカ部材２２は、第１スタッカ部材２１より薄い板状に形成され、スタッカ載置面１５の一部を形成している。第２スタッカ部材２２は、第１スタッカ部材２１の内部から引き出されたり第１スタッカ部材２１の内部に押し込まれたりすることができるように、伸縮方向２４に平行に平行移動可能に、第１スタッカ部材２１に支持されている。伸縮方向２４は、回転軸１６に垂直であり、かつ、スタッカ載置面１５に平行である。第３スタッカ部材２３は、第２スタッカ部材２２より薄い板状に形成され、スタッカ載置面１５の一部を形成している。第３スタッカ部材２３は、第２スタッカ部材２２の内部から引き出されたり第２スタッカ部材２２の内部に押し込まれたりすることができるように、伸縮方向２４に平行に平行移動可能に、第２スタッカ部材２２に支持されている。スタッカ６は、このように形成されることにより、回転軸１６から遠い側の端部１７が回転軸１６に接近するように短縮したり、端部１７が回転軸１６から遠ざかるように延伸したりするように、伸縮可能に形成されている。
【００１４】
スタッカ６は、さらに、図示されていない連動機構を備えている。その連動機構は、第２スタッカ部材２２が第１スタッカ部材２１から引き出されたり第１スタッカ部材２１に押し込まれたりする運動を、第３スタッカ部材２３が第２スタッカ部材２２から引き出されたり第２スタッカ部材２２に押し込まれたりする運動に変換する。すなわち、その連動機構は、第２スタッカ部材２２が第１スタッカ部材２１から引き出される運動を、第３スタッカ部材２３が第２スタッカ部材２２から引き出される運動に機械的に変換する。その連動機構は、さらに、第２スタッカ部材２２が第１スタッカ部材２１に押し込まれる運動を、第３スタッカ部材２３が第２スタッカ部材２２に押し込まれる運動に機械的に変換する。スタッカ６は、このような連動機構を備えることにより、第２スタッカ部材２２が第１スタッカ部材２１から引き出されたり第１スタッカ部材２１に押し込まれたりすることにより、伸縮する。
【００１５】
図３は、スタッカ６がスタッカ格納領域１８に格納されているときの画像読取装置１を示す側面図である。スタッカ６は、図３に示されているように、短縮されたときに、回転軸１６を中心に回転することにより、スタッカ格納領域１８に配置され、格納される。すなわち、スタッカ支持部７は、スタッカ格納領域１８またはスタッカ展開領域１９にスタッカ６が配置されるように、スタッカ６を移動可能に支持している。スタッカ展開領域１９は、図１でスタッカ６が配置されている領域である。すなわち、スタッカ載置面１５は、スタッカ６がスタッカ展開領域１９に配置されることにより、斜め上方を向き、画像読取装置１の設置面となす角が５５度に概ね等しくなる。
【００１６】
スタッカ６は、スタッカ格納領域１８に配置されることにより、シュータ載置面１１を露出させ、スタッカ６がスタッカ展開領域１９に配置されているときに比較して、シュータ載置面１１のうちのスタッカ６により覆われる領域の面積を小さくすることができる。すなわち、スタッカ格納領域１８に配置されたスタッカ６をシュータ載置面１１に正射影した図形の面積は、スタッカ展開領域１９に配置されたスタッカ６をシュータ載置面１１に正射影した図形の面積より小さい。
【００１７】
図４は、スタッカ６がスタッカ格納領域１８に格納されているときのスタッカ６とシュータ３とを示す斜視図である。シュータ３は、図４に示されているように、第１シュータ部材２５と第２シュータ部材２６と第３シュータ部材２７とを備えている。第１シュータ部材２５は、板状に形成され、シュータ載置面１１の一部を形成している。第１シュータ部材２５は、回転軸１２を中心に回転可能に、シュータ支持部５によりフレーム２０に支持されている。第２シュータ部材２６は、第１シュータ部材２５より薄い板状に形成され、シュータ載置面１１の一部を形成している。第２シュータ部材２６は、第１シュータ部材２５の内部から引き出されたり第１シュータ部材２５の内部に押し込まれたりすることができるように、伸縮方向２８に平行に平行移動可能に、第１シュータ部材２５に支持されている。伸縮方向２８は、回転軸１２に垂直であり、かつ、シュータ載置面１１に平行である。第３シュータ部材２７は、第２シュータ部材２６より薄い板状に形成され、シュータ載置面１１の一部を形成している。第３シュータ部材２７は、第２シュータ部材２６の内部から引き出されたり第２シュータ部材２６の内部に押し込まれたりすることができるように、伸縮方向２８に平行に平行移動可能に、第２シュータ部材２６に支持されている。シュータ３は、このように形成されることにより、回転軸１２から遠い側の端部１４が回転軸１２に接近するように短縮したり、端部１４が回転軸１２から遠ざかるように延伸したりするように、伸縮可能に形成されている。
【００１８】
図５は、シュータ３が格納されているときの画像読取装置１を示す側面図である。図６は、シュータ３が格納されているときのスタッカ６とシュータ３とを示す斜視図である。シュータ３は、図５に示されているように、スタッカ６がスタッカ格納領域１８に格納されているときに、回転軸１２を中心に回転することにより、スタッカ６の上部に配置されることができる。シュータ３は、短縮し、スタッカ６の上部に配置されることにより、格納される。すなわち、シュータ支持部５は、図３に示されるようにシュータ３が展開されたり、図５に示されているように、シュータ３がスタッカ６の上部に格納されたりするように、シュータ３を移動可能に支持している。画像読取装置１は、シュータ３が格納されることにより、装置高さが小さくなり、小型化される。シュータ３は、格納されることにより、さらに、図６に示されているように、スタッカ６を覆うことができる。
【００１９】
図７は、搬送装置３１と読取装置３２とを示す断面図である。画像読取装置１は、図７に示されているように、さらに、搬送装置３１と読取装置３２とを備えている。
【００２０】
［搬送装置］
搬送装置３１は、筐体２の内部に配置されている。搬送装置３１は、複数の搬送ガイド３３〜３７と複数の搬送ローラ４１〜４７とを備えている。複数の搬送ガイド３３〜３７は、第１搬送ガイド３３と第２搬送ガイド３４と第３搬送ガイド３５と第４搬送ガイド３６と第５搬送ガイド３７とを含んでいる。第１搬送ガイド３３は、概ね平坦である板状に形成されている。第１搬送ガイド３３は、画像読取装置１の設置面に概ね平行である平面に沿うように配置され、フレーム２０に固定されている。第２搬送ガイド３４は、概ね平坦である板状に形成されている。第２搬送ガイド３４は、第１搬送ガイド３３に対向するように、第１搬送ガイド３３の上部に配置されている。第２搬送ガイド３４は、さらに、鉛直方向の昇降可能にフレーム２０に支持されている。
【００２１】
第３搬送ガイド３５は、概ね板状に形成されている。第３搬送ガイド３５は、第１搬送ガイド３３が沿う平面に沿うように、第１搬送ガイド３３の手前側に配置され、フレーム２０に固定されている。第４搬送ガイド３６は、柱体状に形成され、円柱の側面の一部に沿う凸面が形成されている。第４搬送ガイド３６は、その凸面の一部が第３搬送ガイド３５に対向するように、第３搬送ガイド３５の上部に配置されている。第４搬送ガイド３６は、フレーム２０に固定されている。第５搬送ガイド３７は、柱体状に形成され、円柱の側面の一部に沿う凹面が形成されている。第５搬送ガイド３７は、その凹面が第４搬送ガイド３６の凸面の一部に対向するように第４搬送ガイド３６の手前側に配置されている。
【００２２】
搬送装置３１は、複数の搬送ガイド３３〜３７を備えることにより、搬送路６５と搬送路６６とＵターン搬送路６７とストレート搬送路６８とが形成されている。搬送路６５は、第１搬送ガイド３３と第２搬送ガイド３４との間に形成されている。搬送路６５は、画像読取装置１の設置面に平行である平面に沿うように形成されている。搬送路６５は、さらに、シュータ３が展開されているときに、シュータ載置面１１に接続されるように形成されている。搬送路６６は、第３搬送ガイド３５と第４搬送ガイド３６との間に形成されている。搬送路６６は、搬送路６５に沿う平面に沿うように形成されている。
【００２３】
Ｕターン搬送路６７は、第４搬送ガイド３６と第５搬送ガイド３７との間に形成されている。Ｕターン搬送路６７は、円柱の側面に沿うように形成されている。Ｕターン搬送路６７は、さらに、スタッカ６がスタッカ展開領域１９に配置されているときに、スタッカ載置面１５に接続されるように形成されている。ストレート搬送路６８は、第５搬送ガイド３７の下側に形成されている。ストレート搬送路６８は、搬送路６５が沿う平面に沿うように形成されている。ストレート搬送路６８は、さらに、筐体２の外部に接続されるように形成されている。
【００２４】
複数の搬送ローラ４１〜４７は、第１搬送ローラ４１と第２搬送ローラ４２と第３搬送ローラ４３と第４搬送ローラ４４と第５搬送ローラ４５と第６搬送ローラ４６と第７搬送ローラ４７とを含んでいる。第１搬送ローラ４１は、円柱状に形成され、搬送路６５の上部に配置されている。第１搬送ローラ４１は、回転軸５１を中心に回転可能にフレーム２０に支持されている。回転軸５１は、回転軸１２に平行である。第１搬送ローラ４１は、さらに、展開されているシュータ３のシュータ載置面１１に載置される原稿に接触するように、配置されている。シュータ載置面１１に載置されている複数の原稿のうちの第１搬送ローラ４１に接触している１つの原稿は、第１搬送ローラ４１が回転軸５１を中心に正転（図７で時計回り）することにより、搬送路６５に搬送される。
【００２５】
第２搬送ローラ４２は、円柱状に形成され、搬送路６５の下部のうちの第１搬送ローラ４１より手前側に配置されている。第２搬送ローラ４２は、回転軸５２を中心に回転可能にフレーム２０に支持されている。回転軸５２は、回転軸５１に平行である。第３搬送ローラ４３は、円柱状に形成され、第２搬送ローラ４２の上部に配置されている。第３搬送ローラ４３は、回転軸５３を中心に回転可能に、かつ、鉛直方向に昇降可能に、フレーム２０に支持されている。回転軸５３は、回転軸５２に平行である。第２搬送ローラ４２と第３搬送ローラ４３とは、さらに、搬送路６５を搬送される原稿が第２搬送ローラ４２と第３搬送ローラ４３との間に挟まれるように配置されている。搬送路６５を搬送される原稿は、第２搬送ローラ４２が回転軸５２を中心に正転（図７で反時計回り）し、第３搬送ローラ４３が回転軸５３を中心に正転（図７で時計回り）することにより、搬送路６６に搬送される。第２搬送ガイド３４は、搬送路６５を搬送される原稿が第２搬送ガイド３４に接触することにより、その原稿の厚さに対応する高さに配置されるように、フレーム２０に対して昇降する。すなわち、第２搬送ガイド３４が配置される高さは、搬送路６５を搬送される原稿が厚いほど高い。第３搬送ローラ４３は、搬送路６５を搬送される原稿の厚さに対応する高さに配置されるように昇降する。すなわち、第３搬送ローラ４３が配置される高さは、搬送路６５を搬送される原稿が厚いほど高い。
【００２６】
第４搬送ローラ４４は、円柱状に形成され、搬送路６６の下部に配置されている。第４搬送ローラ４４は、回転軸５４を中心に回転可能にフレーム２０に支持されている。回転軸５４は、回転軸５１に平行である。第５搬送ローラ４５は、円柱状に形成され、搬送路６６の上部に配置されている。第５搬送ローラ４５は、回転軸５５を中心に回転可能に、かつ、鉛直方向に昇降可能に、フレーム２０に支持されている。回転軸５５は、回転軸５４に平行である。第４搬送ローラ４４と第５搬送ローラ４５とは、さらに、搬送路６６を搬送される原稿が第４搬送ローラ４４と第５搬送ローラ４５との間に挟まれるように配置されている。第５搬送ローラ４５は、搬送路６６を搬送される原稿の厚さに対応する高さに配置されるように昇降する。すなわち、第５搬送ローラ４５が配置される高さは、搬送路６６を搬送される原稿が厚いほど高い。
【００２７】
搬送路６６を搬送される原稿は、第４搬送ローラ４４が回転軸５４を中心に正転（図７で反時計回り）し、第５搬送ローラ４５が回転軸５５を中心に正転（図７で時計回り）することにより、Ｕターン搬送路６７またはストレート搬送路６８に搬送される。
【００２８】
第６搬送ローラ４６は、円柱状に形成され、Ｕターン搬送路６７の手前側に配置されている。第６搬送ローラ４６は、回転軸５６を中心に回転可能にフレーム２０に支持されている。回転軸５６は、回転軸５１に平行である。第７搬送ローラ４７は、円柱状に形成され、第６搬送ローラ４６の奥側に配置されている。第７搬送ローラ４７は、回転軸５７を中心に回転可能にフレーム２０に支持されている。回転軸５７は、回転軸５６に平行である。第６搬送ローラ４６と第７搬送ローラ４７とは、さらに、Ｕターン搬送路６７を搬送される原稿が第６搬送ローラ４６と第７搬送ローラ４７との間に挟まれるように配置されている。Ｕターン搬送路６７を搬送される原稿は、第６搬送ローラ４６が回転軸５６を中心に正転（図７で反時計回り）し、第７搬送ローラ４７が回転軸５７を中心に正転（図７で時計回り）することにより、スタッカ展開領域１９のスタッカ６のスタッカ載置面１５に載置される。
【００２９】
搬送装置３１は、このように構成されることにより、シュータ３に載置された複数の原稿のうちの一番上に配置されている原稿を搬送路６５、６６に搬送する。搬送装置３１は、さらに、搬送路６６からＵターン搬送路６７に搬送された原稿をスタッカ６に搬送し、その原稿をスタッカ載置面１５に載置する。このとき、その原稿は、シュータ３に載置されているときにシュータ載置面１１に対向している面が、スタッカ６のスタッカ載置面１５に載置されているときにスタッカ載置面１５に対向している面の裏面である。搬送装置３１は、さらに、搬送路６６からストレート搬送路６８に搬送された原稿を筐体２の外部に排紙する。また、Ｕターン搬送路６７は、ストレート搬送路６８に比較して、屈曲している程度が大きい。このため、Ｕターン搬送路６７を通過する原稿が変形する程度は、ストレート搬送路６８を通過する原稿が変形する程度より大きい。
【００３０】
［読取装置］
読取装置３２は、筐体２の内部のうちの搬送路６５と搬送路６６との間に配置されている。読取装置３２は、下側画像センサ６１と上側画像センサ６２とを備えている。下側画像センサ６１は、搬送路６５と搬送路６６とが沿う平面の下側に配置され、フレーム２０に固定されている。下側画像センサ６１は、ＣＩＳ（Ｃｏｎｔａｃｔ  Ｉｍａｇｅ  Ｓｅｎｓｏｒ）タイプのイメージセンサから形成されている。下側画像センサ６１は、搬送路６５から搬送路６６に搬送される原稿の下側の読取面に接触し、その読取面を照明し、その読取面を反射した光を受光することにより、その読取面の画像を読み取る。上側画像センサ６２は、搬送路６５と搬送路６６とが沿う平面の上側に配置され、鉛直方向に平行に平行移動可能にフレーム２０に支持されている。上側画像センサ６２は、ＣＩＳタイプのイメージセンサから形成されている。上側画像センサ６２は、搬送路６５から搬送路６６に搬送される原稿の上側の読取面に接触し、その読取面を照明し、その読取面を反射した光を受光することにより、その読取面の画像を読み取る。
【００３１】
［切替部］
図８は、搬送装置３１の一部を示す概略断面図である。搬送装置３１は、図８に示されているように、さらに、搬送路切替部７１を備えている。搬送路切替部７１は、概ね板状に形成され、Ｕターンパス案内位置またはストレートパス案内位置に配置されるように、回転軸７２を中心に回転可能にフレーム２０に支持されている。回転軸７２は、回転軸５４に平行であり、搬送路６６の下流側の端の近傍に配置されている。Ｕターンパス案内位置は、ストレートパス案内位置より上側に配置されている。搬送路切替部７１は、Ｕターンパス案内位置に配置されているときに、搬送路切替部７１のうちの一部が第５搬送ガイド３７に当接し、搬送路６６をＵターン搬送路６７に接続する。
【００３２】
図９は、搬送路切替部７１がストレートパス案内位置に配置されているときの搬送装置３１の一部を示す概略断面図である。搬送路切替部７１は、ストレートパス案内位置に配置されているときに、図９に示されているように、搬送路６６が沿う水平面に沿うように配置され、搬送路６６をストレート搬送路６８に接続する。
【００３３】
図１０は、第５搬送ガイド３７と、ストレートパス案内位置に配置されている搬送路切替部７１とを示す斜視図である。第５搬送ガイド３７は、図１０に示されているように、下端に複数の歯７３が形成されている。複数の歯７３は、櫛歯状に形成されている。すなわち、複数の歯７３は、それぞれ長方形の板状に形成され、第５搬送ガイド３７に沿う平面に沿って第５搬送ガイド３７の下端から突出するように形成されている。
【００３４】
搬送路切替部７１は、複数の歯７４とカード保持部７５とが形成されている。複数の歯７４は、搬送路切替部７１のうちの、搬送路６６を搬送される原稿に対向する原稿対向面７６に形成され、その原稿対向面７６のうちの回転軸７２に近い側の領域から突出するように形成されている。複数の歯７４は、それぞれ長方形の板状に形成され、回転軸７２に垂直である複数の平行面にそれぞれ沿うように、形成されている。搬送路切替部７１の原稿対向面７６から複数の歯７４が突出する高さは、複数の歯７３の厚さより大きい。カード保持部７５は、その原稿対向面７６のうちの回転軸７２から遠い側の領域に形成され、概ね平坦に形成されている。
【００３５】
搬送路切替部７１は、搬送路切替部７１がストレートパス案内位置に配置されているときに、複数の歯７４が複数の歯７３に噛み合わないで、第５搬送ガイド３７と搬送路切替部７１との間に隙間を形成している。搬送路切替部７１は、第５搬送ガイド３７と搬送路切替部７１との間に隙間を形成することにより、搬送路６６をストレート搬送路６８に接続している。
【００３６】
図１１は、Ｕターンパス案内位置に配置されている搬送路切替部７１を示す斜視図である。搬送路切替部７１は、搬送路切替部７１がＵターンパス案内位置に配置されているときに、図１１に示されているように、第５搬送ガイド３７と搬送路切替部７１との間に隙間が形成されないように、第５搬送ガイド３７の近傍に配置される。搬送路切替部７１は、Ｕターンパス案内位置に配置されているときに、さらに、複数の歯７４が複数の歯７３に噛み合うように形成されている。さらに、複数の歯７４の先端は、搬送路切替部７１がＵターンパス案内位置に配置されているときに、複数の歯７３の隙間から突出する。搬送路切替部７１は、第５搬送ガイド３７と搬送路切替部７１との間に隙間を形成しないで、複数の歯７４の先端が複数の歯７３の隙間から突出することにより、搬送路６６をＵターン搬送路６７に接続している。
【００３７】
図１２は、ストレートパス案内位置に配置されている搬送路切替部７１を示す他の概略断面図である。搬送路切替部７１は、ストレートパス案内位置に配置されているときに、図１２に示されているように、カード保持部７５に原稿が接触した状態で、原稿が載置されることができる。
【００３８】
［画像読取装置の構成］
図１３は、実施例１の画像読取装置１を示すブロック図である。画像読取装置１は、図１３に示されているように、さらに、厚さセンサ８１と排出カード検出センサ８２と切替ガイドアクチュエータ８３と制御装置８４とを備えている。厚さセンサ８１は、搬送路６５の途中に配置されている。厚さセンサ８１は、制御装置８４に制御されることにより、搬送路６５を搬送される原稿の厚さを測定する。排出カード検出センサ８２は、搬送路切替部７１のカード保持部７５に配置されている。排出カード検出センサ８２は、制御装置８４に制御されることにより、搬送路切替部７１のカード保持部７５に原稿が保持されているかどうかを検出する。切替ガイドアクチュエータ８３は、制御装置８４に制御されることにより、搬送路切替部７１がＵターンパス案内位置に配置されたりストレートパス案内位置に配置されたりするように回転軸７２を中心に搬送路切替部７１を回転させる。
【００３９】
制御装置８４は、いわゆるコンピュータであり、ＣＰＵ（Ｃｅｎｔｒａｌ  Ｐｒｏｃｅｓｓｉｎｇ  Ｕｎｉｔ）８５とメモリ８６と入出力装置８７とを備えている。ＣＰＵ８５は、制御装置８４にインストールされるコンピュータプログラムを実行することにより、メモリ８６と入出力装置８７を制御する。ＣＰＵ８５は、そのコンピュータプログラムを実行することにより、さらに、搬送装置３１と読取装置３２と厚さセンサ８１と排出カード検出センサ８２と切替ガイドアクチュエータ８３とを制御する。メモリ８６は、例えばＲＡＭ・ＲＯＭ等のメモリ、ハードディスクのような固定ディスク装置、ＳＳＤ（Ｓｏｌｉｄ  Ｓｔａｔｅ  Ｄｒｉｖｅ）、および／または、光ディスク等を用いることができる。メモリ８６は、そのコンピュータプログラムを記録し、ＣＰＵ８５により利用される情報を記録する。入出力装置８７は、たとえば、タッチパネルであり、ユーザに操作されることにより生成される情報をＣＰＵ８５に出力し、ＣＰＵ８５により生成された情報をユーザに認識されることができるように出力する。
【００４０】
なお、ＣＰＵ８５は、制御装置８４を統括的に制御する他の制御回路から構成されてもよい。その制御回路としては、ＧＰＵ（Ｇｒａｐｈｉｃｓ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）を含む有形のコントローラが例示される。
【００４１】
制御装置８４にインストールされるコンピュータプログラムは、制御装置８４に複数の機能をそれぞれ実現させるための複数のコンピュータプログラムから形成されている。その複数の機能は、搬送部９１と読取部９２とセンサ情報取得部９３と切替部９４とを含んでいる。
【００４２】
搬送部９１は、シュータ３に載置されている原稿が搬送路６５と搬送路６６とＵターン搬送路６７とストレート搬送路６８とに搬送されるように、搬送装置３１を制御する。詳細には、搬送部９１は、第１搬送ローラ４１を正転させ、シュータ３に載置されている複数の原稿のうちの一番上に配置されている原稿が搬送路６５に搬送されるように、搬送装置３１を制御する。搬送部９１は、第２搬送ローラ４２と第３搬送ローラ４３とを正転させ、搬送路６５を搬送されている原稿が下側画像センサ６１と上側画像センサ６２との間に搬送されるように、搬送装置３１を制御する。搬送部９１は、第４搬送ローラ４４と第５搬送ローラ４５とを正転させ、下側画像センサ６１と上側画像センサ６２との間を搬送されている原稿がＵターン搬送路６７またはストレート搬送路６８に搬送されるように、搬送装置３１を制御する。
【００４３】
読取部９２は、搬送装置３１により搬送される原稿の画像が読み取られるように、読取装置３２を制御する。読取部９２は、さらに、その読み取られた原稿の画像をメモリ８６に記録する。読取部９２は、さらに、その読み取られた原稿の画像を画像処理し、その画像処理された画像をメモリ８６に記録する。
【００４４】
センサ情報取得部９３は、搬送路６５に原稿が搬送されているときに、搬送路６５を搬送される原稿の厚さが測定されるように、厚さセンサ８１を制御する。センサ情報取得部９３は、搬送路切替部７１がストレートパス案内位置に配置されているときに、搬送路切替部７１のカード保持部７５に原稿が保持されているかどうかが検出されるように、排出カード検出センサ８２を制御する。切替部９４は、搬送路切替部７１がＵターンパス案内位置またはストレートパス案内位置に配置されるように、切替ガイドアクチュエータ８３を制御する。
【００４５】
［実施例１の画像読取装置の動作］
図１４は、実施例１の画像読取装置１の動作を示すフローチャートである。ユーザは、画像読取装置１を用いて複数の原稿の画像を読み取りたいときに、まず、画像読取装置１のシュータ３を展開し、シュータ３を延伸させ、スタッカ６を展開し、スタッカ６を延伸させる。その複数の原稿は、紙とカードとを含んでいる。ユーザは、シュータ３を展開して延伸させた後に、画像読取装置１を用いて読み取りたい複数の原稿をシュータ載置面１１に載置する。ユーザは、原稿をシュータ載置面１１に載置した後に、画像読取装置１が起動するように、入出力装置８７を操作する。
【００４６】
制御装置８４は、図１４に示されているように、画像読取装置１が起動すると、まず、搬送装置３１を制御することにより、シュータ載置面１１に載置されている複数の原稿のうちの最も上に積まれている１つの原稿をシュータ載置面１１から搬送路６５に搬送する（ステップＳ１）。制御装置８４は、さらに、搬送装置３１を制御することにより、搬送路６５を搬送された原稿を下側画像センサ６１と上側画像センサ６２との間に搬送する。制御装置８４は、さらに、搬送装置３１を制御することにより、下側画像センサ６１と上側画像センサ６２との間を搬送された原稿を搬送路６６に搬送する。
【００４７】
制御装置８４は、搬送路６５に原稿が搬送されているときに、さらに、厚さセンサ８１を制御することにより、搬送路６５を搬送される原稿の厚さを測定する。制御装置８４は、下側画像センサ６１と上側画像センサ６２との間に原稿が搬送されているときに、読取装置３２を制御することにより、その搬送されている原稿の表面の画像と裏面の画像とを読み取る（ステップＳ２）。制御装置８４は、さらに、その読み取られた原稿の画像をメモリ８６に記録する。制御装置８４は、さらに、その読み取られた原稿の画像を画像処理し、その画像処理された画像をメモリ８６に記録する。
【００４８】
制御装置８４は、搬送路６５に原稿が搬送されているときに厚さセンサ８１により測定された厚さが閾値より小さいときに、その原稿が紙であると判別し、その測定された厚さがその閾値より大きいときに、その原稿がカードであると判別する（ステップＳ３）。
【００４９】
制御装置８４は、搬送路６５を搬送された原稿が紙であると判別されたときに（ステップＳ３、紙）、切替ガイドアクチュエータ８３を制御することにより、搬送路切替部７１をＵターンパス案内位置に配置する（ステップＳ４）。搬送路６６を搬送された原稿は、搬送路切替部７１がＵターンパス案内位置に配置されていることにより、Ｕターン搬送路６７に搬送され、スタッカ６に載置される（ステップＳ５）。
【００５０】
制御装置８４は、搬送路６５を搬送された原稿がカードであると判別されたときに（ステップＳ３、カード）、切替ガイドアクチュエータ８３を制御することにより、搬送路切替部７１をストレートパス案内位置に配置する（ステップＳ６）。搬送路６６を搬送された原稿は、搬送路切替部７１がストレートパス案内位置に配置されていることにより、ストレート搬送路６８に搬送され（ステップＳ７）、搬送路切替部７１のカード保持部７５に載置されることにより、搬送路切替部７１に保持される（ステップＳ８）。
【００５１】
制御装置８４は、搬送路切替部７１に原稿が保持されると、搬送装置３１を制御することにより、シュータ載置面１１に載置されている複数の原稿のうち、その保持された原稿の次の原稿を搬送することを停止する（ステップＳ９）。制御装置８４は、原稿の搬送が停止された後に、排出カード検出センサ８２を制御することにより、搬送路切替部７１に原稿が保持されているかどうかを繰り返し検出する（ステップＳ１０）。
【００５２】
ユーザは、搬送路切替部７１に原稿が保持されていることを確認すると、その原稿を搬送路切替部７１から回収する。制御装置８４は、搬送路切替部７１に原稿が保持されていないことが検出されるまで（ステップＳ１０、Ｎｏ）、待機する。制御装置８４は、搬送路切替部７１に原稿が保持されていないことが検出されたときに（ステップＳ１０、Ｙｅｓ）、または、ステップＳ５の処理が実行された後に、その原稿が最後であるかどうかを判別する（ステップＳ１１）。制御装置８４は、シュータ載置面１１に載置されている複数の原稿で、その原稿が最後でないときに（ステップＳ１１、Ｎｏ）、ステップＳ１〜ステップＳ１０の処理を再度実行する。
【００５３】
このような動作によれば、画像読取装置１は、紙の原稿とカードの原稿とを分けて、紙の原稿をスタッカ６に載置し、ストレート搬送路６８を介してカードの原稿を筐体２の外部に排出することができる。画像読取装置１は、読取が完了したカードがストレート搬送路６８に搬送されることにより、カードがＵターン搬送路６７で詰まるジャムが発生することを防止することができる。画像読取装置１は、さらに、搬送路切替部７１がカードを保持したときに、搬送路切替部７１に保持された原稿が回収されるまで原稿の搬送を停止している。このため、画像読取装置１は、搬送路切替部７１がカードを保持したまま、搬送路切替部７１がＵターンパス案内位置に移動することにより、搬送路切替部７１に保持されたカードが落下することを防止することができる。
【００５４】
［画像読取装置の効果］
実施例１の画像読取装置１は、搬送装置３１と読取装置３２と搬送路切替部７１とスタッカ６とを備えている。搬送装置３１は、原稿を搬送する。読取装置３２は、搬送装置３１により原稿が搬送されるときに、その原稿から画像を読み取る。搬送路切替部７１は、その原稿が読取装置３２により読み取られた後に、Ｕターンパス案内位置に配置されることによりその原稿をＵターン搬送路６７に案内し、ストレートパス案内位置に配置されることによりその原稿をストレート搬送路６８に案内する。スタッカ６は、Ｕターン搬送路６７を介して原稿が搬送された後に、その原稿が載置される。搬送路切替部７１は、ストレートパス案内位置に配置された場合で、ストレート搬送路６８を介して原稿が搬送された後に、その原稿を保持する。
【００５５】
このような画像読取装置１は、搬送路切替部７１がストレートパス案内位置に配置されているときに、ストレート搬送路６８を介して排紙される原稿が保持されることにより、ストレート搬送路６８を介して排紙された原稿が画像読取装置１から離れることを防止することができる。原稿は、画像読取装置１に保持されないときに、たとえば、床に張り付いて回収されにくくなることがある。画像読取装置１は、ストレート搬送路６８を介して排紙された原稿が画像読取装置１から離れることが防止されることにより、ストレート搬送路６８を介して排紙される原稿を回収する作業を容易化することができる。画像読取装置１は、さらに、搬送路切替部７１が原稿を保持することにより、ストレート搬送路６８を介して排紙される原稿を保持するスタッカを搬送路切替部７１と別途に設けられている他の画像読取装置に比較して、部品点数を低減することができる。
【００５６】
また、実施例１の画像読取装置１は、Ｕターン搬送路６７の一部を形成する第５搬送ガイド３７をさらに備えている。搬送路切替部７１は、複数の歯７４が形成されている。第５搬送ガイド３７は、搬送路切替部７１がＵターンパス案内位置に配置されるときに複数の歯７４に噛み合う複数の歯７３が形成されている。このような画像読取装置１は、互いに噛み合う複数の歯７３と複数の歯７４とが形成されることにより、搬送路切替部７１がＵターンパス案内位置に配置されるときに、搬送路６６を搬送された原稿をＵターン搬送路６７に滑らかに案内することができる。
【００５７】
また、実施例１の画像読取装置１は、厚さセンサ８１と切替ガイドアクチュエータ８３と制御装置８４とを備えている。厚さセンサ８１は、原稿が紙であるかカードであるかを検出する。切替ガイドアクチュエータ８３は、搬送路切替部７１を移動させる。制御装置８４は、原稿がカードであると検出されたときに搬送路切替部７１がストレートパス案内位置に移動するように、切替ガイドアクチュエータ８３を制御する。Ｕターン搬送路６７を通過する原稿が変形する程度は、ストレート搬送路６８を通過する原稿が変形する程度より大きい。
【００５８】
このような画像読取装置１は、搬送される原稿の種類に応じて、原稿が搬送される搬送路をＵターン搬送路６７またはストレート搬送路６８のいずれかに切り替えることができる。その結果、画像読取装置１は、原稿の種類に応じて搬送路を切り替えることにより、原稿がＵターン搬送路６７を通過することにより屈曲癖がつくこと、原稿がＵターン搬送路６７で紙詰まりを発生させること等を防止することができる。
【００５９】
また、実施例１の画像読取装置１の制御装置８４は、原稿が紙であると検出されたときに搬送路切替部７１がＵターンパス案内位置に移動するように、切替ガイドアクチュエータ８３を制御する。このような画像読取装置１は、カードをストレート搬送路６８に案内した後でも、搬送路切替部７１をＵターンパス案内位置に移動させることにより、紙の原稿をＵターン搬送路６７に案内することができる。
【００６０】
また、実施例１の画像読取装置は、搬送路切替部７１が原稿を保持しているかどうかを検出する排出カード検出センサ８２をさらに備えている。このとき、制御装置８４は、原稿がストレート搬送路６８に案内された後に、原稿と異なる次の原稿が搬送されないように搬送装置３１を制御する。制御装置８４は、搬送路切替部７１が原稿を保持していないことが検出されたときに、次の原稿が搬送されるように搬送装置３１を制御する。
【００６１】
このような画像読取装置１は、原稿がストレート搬送路６８に案内された後に、次の原稿の搬送を停止することにより、搬送路切替部７１が原稿を保持したまま搬送路切替部７１が複数の原稿を保持することを防止することができる。このような画像読取装置１は、原稿がストレート搬送路６８に案内された後に、次の原稿の搬送を停止することにより、さらに、搬送路切替部７１が原稿を保持したまま搬送路切替部７１がＵターンパス案内位置に移動することを防止することができる。
【００６２】
［画像読取装置の動作の変形例］
図１５は、実施例１の画像読取装置１の動作の変形例を示すフローチャートである。ユーザは、画像読取装置１を用いて複数の原稿の画像を読み取りたいときに、まず、画像読取装置１のシュータ３を展開し、シュータ３を延伸させ、スタッカ６を展開し、スタッカ６を延伸させ、搬送路切替部７１をＵターンパス案内位置に配置する。ユーザは、次いで、画像読取装置１を用いて読み取りたい複数の原稿をシュータ載置面１１に載置する。このとき、ユーザは、その複数の原稿が紙とカードとを含んでいるときに、紙より上側にカードが積まれないように、複数の原稿をシュータ載置面１１に載置する。ユーザは、原稿をシュータ載置面１１に載置した後に、画像読取装置１が起動するように、入出力装置８７を操作する。
【００６３】
制御装置８４は、図１５に示されているように、画像読取装置１が起動すると、まず、搬送装置３１を制御することにより、シュータ載置面１１に載置されている複数の原稿のうちの最も上に積まれている１つの原稿をシュータ載置面１１から搬送路６５に搬送する（ステップＳ２１）。制御装置８４は、さらに、搬送装置３１を制御することにより、搬送路６５を搬送された原稿を下側画像センサ６１と上側画像センサ６２との間に搬送する。制御装置８４は、さらに、搬送装置３１を制御することにより、下側画像センサ６１と上側画像センサ６２との間を搬送された原稿を搬送路６６に搬送する。
【００６４】
制御装置８４は、搬送路６５に原稿が搬送されているときに、さらに、厚さセンサ８１を制御することにより、搬送路６５を搬送される原稿の厚さを測定する。制御装置８４は、下側画像センサ６１と上側画像センサ６２との間に原稿が搬送されているときに、読取装置３２を制御することにより、その搬送されている原稿の表面の画像と裏面の画像とを読み取る（ステップＳ２２）。
【００６５】
制御装置８４は、搬送路６５に原稿が搬送されているときに厚さセンサ８１により測定された厚さが閾値より小さいときに、その原稿が紙であると判別し、その測定された厚さがその閾値より大きいときに、その原稿がカードであると判別する（ステップＳ２３）。
【００６６】
制御装置８４は、搬送路６５を搬送された原稿がカードであると判別されたときに（ステップＳ２３、カード）、切替ガイドアクチュエータ８３を制御することにより、搬送路切替部７１をストレートパス案内位置に配置する（ステップＳ２４）。搬送路６６を搬送された原稿は、搬送路切替部７１がストレートパス案内位置に配置されていることにより、ストレート搬送路６８に搬送され（ステップＳ２５）、搬送路切替部７１のカード保持部７５に載置される（ステップＳ２６）。
【００６７】
制御装置８４は、搬送路６５を搬送された原稿が紙であると判別されたときに（ステップＳ２３、紙）、排出カード検出センサ８２を制御することにより、搬送路切替部７１に原稿が保持されているかどうかを検出する（ステップＳ２７）。制御装置８４は、搬送路切替部７１に原稿が保持されていないことが検出されると（ステップＳ２７、Ｙｅｓ）、搬送装置３１を制御することにより、読取装置３２により画像が読み取られた原稿の搬送を停止させないで、原稿を搬送路６６に搬送する。搬送路６６を搬送された原稿は、搬送路切替部７１がＵターンパス案内位置に配置されていることにより、Ｕターン搬送路６７に搬送され、スタッカ６に載置される（ステップＳ２９）。
【００６８】
制御装置８４は、ステップＳ２６またはステップＳ２９の後で、シュータ載置面１１に載置されている複数の原稿で、その原稿が最後でないときに（ステップＳ３０、Ｎｏ）、再度ステップＳ２２〜ステップＳ３１の処理を実行する。
【００６９】
制御装置８４は、搬送路切替部７１に原稿が保持されていることが検出されると（ステップＳ２７、Ｎｏ）、切替ガイドアクチュエータ８３を制御することにより、原稿が搬送されることを停止する（ステップＳ３１）。画像読取装置１は、さらに、入出力装置８７を制御することにより、ユーザにエラーが発生したことを通知する。画像読取装置１は、搬送路切替部７１がカードを保持しているときに原稿の搬送を停止することにより、搬送路切替部７１がストレートパス案内位置に配置されたままになり、搬送路切替部７１がＵターンパス案内位置に配置されることを防止することができる。画像読取装置１は、搬送路切替部７１がカードを保持しているときに搬送路切替部７１がＵターンパス案内位置に配置されないことにより、搬送路切替部７１に保持されたカードが落下することを防止することができる。
【００７０】
このような変形例の動作によれば、画像読取装置１は、図１４の動作と同様にして、カードがＵターン搬送路６７で詰まるジャムが発生することを防止することができ、かつ、ストレート搬送路６８を介して排紙された原稿の回収を容易にすることができる。
【００７１】
既述の図１４の動作では、ステップＳ４で、搬送路切替部７１をストレートパス案内位置からＵターンパス案内位置に移動させているが、図１５の動作では、搬送路切替部７１をストレートパス案内位置からＵターンパス案内位置に移動させる処理がない。Ｕターンパス案内位置は、ストレートパス案内位置より高い。このため、搬送路切替部７１をストレートパス案内位置からＵターンパス案内位置に移動させることは、搬送路切替部７１をストレートパス案内位置からＵターンパス案内位置に移動させることに比較して、より大きな力が必要である。このような動作によれば、画像読取装置１は、既述の図１４のフローを実行することができる切替ガイドアクチュエータ８３が他のアクチュエータに置換されることができる。そのアクチュエータは、搬送路切替部７１をストレートパス案内位置からＵターンパス案内位置に移動させることができないが、搬送路切替部７１をＵターンパス案内位置からストレートパス案内位置に移動させることができる。このようなアクチュエータは、既述の図１４のフローを実行することができる切替ガイドアクチュエータ８３に比較して、能力が劣り、安価である。画像読取装置１は、このような安価なアクチュエータを切替ガイドアクチュエータ８３として備えることにより、製造コストを低減することができる。
【００７２】
ところで、この変形例の動作では、ステップＳ２７で、搬送路切替部７１に原稿が保持されているかどうかに基づいてステップＳ２９とステップＳ３１とに分岐しているが、他の情報に基づいてステップＳ２９とステップＳ３１とに分岐してもよい。たとえば、制御装置８４は、ステップＳ２４で搬送路切替部７１をＵターンパス案内位置からストレートパス案内位置に移動させたときに、搬送路切替部７１がストレートパス案内位置に配置されていることをメモリ８６に記録する。制御装置８４は、さらに、ステップＳ２７で、搬送路切替部７１が原稿を保持しているかどうか検出する代わりに、搬送路切替部７１がストレートパス案内位置に配置されていることがメモリ８６に記録されているかどうかを判別する。制御装置８４は、搬送路切替部７１がストレートパス案内位置に配置されていることがメモリ８６に記録されているかどうかを判別する。制御装置８４は、搬送路切替部７１がストレートパス案内位置に配置されているときに、ステップＳ３１以降の処理を実行することにより、原稿が搬送されることを停止し、ユーザにエラーが発生したことを通知する。制御装置８４は、搬送路切替部７１がＵターンパス案内位置に配置されているときに、ステップＳ２９以降の処理を実行する。このような動作によれば、画像読取装置１は、排出カード検出センサ８２を使用しないことにより、排出カード検出センサ８２を省略することができる。画像読取装置１は、排出カード検出センサ８２を省略することにより、製造コストを低減することができる。
【００７３】
既述の図１４の動作では、カードが搬送路切替部７１に保持された（ステップＳ８）後に、原稿の搬送を停止している。図１５の動作は、紙より上側にカードが積まれないように複数の原稿がシュータ載置面１１に載置されることにより、カードをストレート搬送路６８に案内した後に紙が搬送されることがなく、原稿の搬送を停止することなく、複数の原稿の全部を読み取ることができる。このため、図１５の動作は、図１４の動作に比較して、紙の原稿とカードの原稿とが混載した複数の原稿をより高速に読み取ることができる。
【００７４】
ところで、既述の実施例１の画像読取装置１は、搬送路切替部７１がストレートパス案内位置に配置されているときに、搬送路切替部７１が水平面に沿うように配置されているが、搬送路切替部７１が水平面から傾斜して配置されてもよい。図１６は、搬送路切替部７１が配置されるストレートパス案内位置の変形例を示す概略断面図である。搬送路切替部７１は、図１６に示されているように、変形例のストレートパス案内位置に配置されているときに、搬送路切替部７１のうちの回転軸７２から遠い側の端が回転軸７２より下側に配置されるように、配置されている。このとき、ストレート搬送路６８を搬送されたカード９７は、画像読取装置１が設置される設置面９８に一端が接触し、他の一部が搬送路切替部７１のカード保持部７５に接触することにより、搬送路切替部７１に立て掛けられ、搬送路切替部７１に保持されている。カード９７は、搬送路切替部７１に立て掛けられていることにより、設置面９８に全体が密着するように設置面９８に載置された他のカードに比較して、回収しやすい。画像読取装置１は、ストレートパス案内位置に配置された搬送路切替部７１が傾斜しているときでも、ストレート搬送路６８を介して排紙された原稿の回収を容易にすることができる。
【００７５】
図１７は、第１変形例の搬送ガイド１０１と、ストレートパス案内位置に配置されている第１変形例の搬送路切替部１０３とを示す斜視図である。第１変形例の搬送ガイド１０１は、図１７に示されているように、既述の第５搬送ガイド３７の複数の歯７３が他の複数の歯１０２に置換されている。複数の歯１０２は、それぞれ長方形の板状に形成され、第５搬送ガイド３７に沿う平面に対して傾斜する他の平面に沿うように、搬送ガイド１０１の下端から突出している。
【００７６】
第１変形例の搬送路切替部１０３は、複数の歯１０４とカード保持部１０５とが形成されている。複数の歯１０４は、搬送路切替部１０３のうちの、搬送路６６を搬送される原稿に対向する側に形成され、回転軸７２に近い側の領域から突出するように形成されている。複数の歯１０４は、それぞれ長方形の板状に形成され、回転軸７２に垂直である複数の平行面にそれぞれ沿うように、形成されている。搬送路切替部１０３から複数の歯１０４が突出する高さは、複数の歯１０２の厚さより大きい。カード保持部１０５は、回転軸７２から遠い側の領域に形成され、概ね平坦に形成されている。搬送路切替部１０３は、搬送路切替部１０３のうちの複数の歯１０４が形成される部分と搬送路切替部１０３のうちのカード保持部１０５が形成される部分とが同一平面に沿わないように、屈曲している。
【００７７】
搬送路切替部１０３は、搬送路切替部１０３がストレートパス案内位置に配置されているときに、複数の歯１０４が複数の歯１０２に噛み合わないで、搬送ガイド１０１と搬送路切替部１０３との間に隙間を形成している。搬送路切替部１０３は、搬送ガイド１０１と搬送路切替部１０３との間に隙間を形成することにより、搬送路６６をストレート搬送路６８に接続している。
【００７８】
図１８は、第１変形例の搬送ガイド１０１とＵターンパス案内位置に配置されている第１変形例の搬送路切替部１０３とを示す斜視図である。搬送路切替部１０３は、図１８に示されているように、搬送路切替部１０３がＵターンパス案内位置に配置されるときに、カード保持部１０５が搬送ガイド１０１に沿うように形成されている。搬送路切替部１０３は、さらに、搬送路切替部１０３がＵターンパス案内位置に配置されるときに、搬送路切替部１０３のうちの複数の歯１０４が形成されている部分が搬送ガイド１０１の複数の歯１０２に沿うように形成されている。
【００７９】
搬送路切替部１０３は、搬送路切替部１０３がＵターンパス案内位置に配置されているときに、搬送ガイド１０１と搬送路切替部１０３との間に隙間が形成されないように、搬送ガイド１０１の近傍に配置される。搬送路切替部１０３は、Ｕターンパス案内位置に配置されているときに、さらに、複数の歯１０４が複数の歯１０２に噛み合うように形成されている。さらに、複数の歯１０４の先端は、搬送路切替部１０３がＵターンパス案内位置に配置されているときに、複数の歯１０２の隙間から突出する。搬送路切替部１０３は、搬送ガイド１０１と搬送路切替部１０３との間に隙間を形成しないで、複数の歯１０４の先端が複数の歯１０２の隙間から突出することにより、搬送路６６をＵターン搬送路６７に接続している。
【００８０】
実施例１の画像読取装置１は、第５搬送ガイド３７と搬送路切替部７１とが搬送ガイド１０１と搬送路切替部１０３とにそれぞれ置換された場合でも、同様にして、図１４の動作と図１５の動作とを実行することができる。このため、実施例１の画像読取装置１は、第５搬送ガイド３７と搬送路切替部７１とが搬送ガイド１０１と搬送路切替部１０３とにそれぞれ置換された場合でも、同様にして、小型で、かつ、ストレート搬送路６８を介して排紙された原稿の回収を容易にすることができる。
【００８１】
図１９は、ストレートパス案内位置に配置されている第２変形例の搬送路切替部１１３を示す斜視図である。第２変形例の搬送路切替部１１３は、図１９に示されているように、既述の第１変形例の搬送ガイド１０１とともに利用される。搬送路切替部１１３は、既述の実施例１の搬送路切替部７１の複数の歯７４が他の複数の歯１１４に置換されている。複数の歯１１４は、それぞれ三角形の板状に形成されている。複数の歯１１４は、搬送路切替部１１３のうちの、搬送路６６を搬送される原稿に対向する側に形成され、回転軸７２に近い側の領域に配置されている。複数の歯１１４は、回転軸７２に垂直である複数の平行面にそれぞれ沿うように、三角形の１辺が搬送路切替部１１３に接合され、搬送路切替部１１３から突出するように形成されている。搬送路切替部１１３から複数の歯１１４が突出する高さは、複数の歯１０２の厚さより大きい。搬送路切替部１１３は、カード保持部７５が形成されている部分と、複数の歯１１４が形成されている部分とが同一平面上に形成されていなくてもよく、すなわち、屈曲していてもよい。
【００８２】
搬送路切替部１１３は、搬送路切替部１１３がストレートパス案内位置に配置されているときに、複数の歯１１４が複数の歯１０２に噛み合わないで、搬送ガイド１０１と搬送路切替部１１３との間に隙間を形成している。搬送路切替部１１３は、搬送ガイド１０１と搬送路切替部１１３との間に隙間を形成することにより、搬送路６６をストレート搬送路６８に接続している。
【００８３】
図２０は、第２変形例の搬送ガイド１０１とＵターンパス案内位置に配置されている第２変形例の搬送路切替部１１３とを示す斜視図である。搬送路切替部１１３は、搬送路切替部１１３がＵターンパス案内位置に配置されているときに、図２０に示されているように、搬送ガイド１０１と搬送路切替部１１３との間に隙間が形成されないように、搬送ガイド１０１の近傍に配置される。搬送路切替部１１３は、Ｕターンパス案内位置に配置されているときに、さらに、複数の歯１１４が複数の歯１０２に噛み合うように形成されている。さらに、複数の歯１１４の先端は、搬送路切替部１１３がＵターンパス案内位置に配置されているときに、複数の歯１０２の隙間から突出する。搬送路切替部１１３は、搬送ガイド１０１と搬送路切替部１１３との間に隙間を形成しないで、複数の歯１１４の先端が複数の歯１０２の隙間から突出することにより、搬送路６６をＵターン搬送路６７に接続している。
【００８４】
実施例１の画像読取装置１は、第５搬送ガイド３７と搬送路切替部７１とが搬送ガイド１０１と搬送路切替部１１３とにそれぞれ置換された場合でも、同様にして、図１４の動作と図１５の動作とを実行することができる。このため、実施例１の画像読取装置１は、第５搬送ガイド３７と搬送路切替部７１とが搬送ガイド１０１と搬送路切替部１１３とにそれぞれ置換された場合でも、同様にして、小型で、かつ、ストレート搬送路６８を介して排紙された原稿の回収を容易にすることができる。
【００８５】
ところで、実施例１の画像読取装置１は、複数の歯７３と複数の歯７４とが設けられているが、原稿が搬送路６６からＵターン搬送路６７に適切に搬送されるときに、複数の歯７３と複数の歯７４とを省略してもよい。実施例１の画像読取装置１は、複数の歯７３と複数の歯７４とが省略された場合でも、同様にして、小型で、かつ、ストレート搬送路６８を介して排紙された原稿の回収を容易にすることができる。
【実施例２】
【００８６】
図２１は、実施例２の画像読取装置の搬送装置の一部を示す概略断面図である。実施例２の画像読取装置は、図２１に示されているように、既述の実施例１の画像読取装置１の搬送路切替部７１が他の搬送路切替部１２１に置換されている。搬送路切替部１２１は、既述の搬送路切替部７１にストッパ１２２が追加されることにより、形成されている。ストッパ１２２は、カード保持部７５のうちの回転軸７２から遠い側の端に形成され、カード保持部７５から突出するように形成されている。すなわち、ストッパ１２２は、搬送路切替部１２１がストレートパス案内位置に配置されているときに、搬送路切替部１２１に保持される原稿１２３に当接するように形成されている。
【００８７】
実施例２の画像読取装置は、搬送路切替部１２１がＵターン搬送路６７とストレート搬送路６８とを切り替えたり原稿を保持したりすることにより、既述の実施例１の画像読取装置１と同様にして、小型で、原稿の回収を容易にすることができる。実施例２の画像読取装置は、さらに、ストッパ１２２が形成されていることにより、原稿１２３が搬送路切替部１２１から手前側に滑り落ちることを防止し、原稿１２３を適切に保持することができる。実施例２の画像読取装置は、原稿１２３が搬送路切替部１２１から滑り落ちることが防止されることにより、搬送路切替部１２１がストレートパス案内位置に配置されるときに、搬送路切替部１２１の手前側の端が低くなるように傾斜して配置されることができる。
【００８８】
実施例２の画像読取装置の搬送路切替部１２１は、ストッパ１２２が形成されている。ストッパ１２２は、搬送路切替部１２１がストレートパス案内位置に配置される場合で原稿が搬送路切替部１２１に保持されるときに原稿が引っ掛かる。このような画像読取装置は、搬送路切替部１２１にストッパ１２２が形成されていることにより、原稿が搬送路切替部１２１から落下することを防止することができ、ストレート搬送路６８を介して排紙される原稿の回収をより確実に容易化することができる。
【実施例３】
【００８９】
図２２は、実施例３の画像読取装置の搬送装置の一部を示す概略断面図である。実施例３の画像読取装置は、図２２に示されているように、既述の実施例１の画像読取装置１の搬送路切替部７１がさらに他の搬送路切替部１３１に置換されている。搬送路切替部１３１は、既述の搬送路切替部７１に他のカード保持部１３２が形成されている。カード保持部１３２は、既述のカード保持部７５に対応する領域に形成された窪みから形成されている。すなわち、搬送路切替部１３１は、手前側ストッパ１３３と奥側ストッパ１３４とが形成されている。手前側ストッパ１３３は、カード保持部１３２の手前側に形成され、カード保持部１３２の窪みの手前側の側面を形成している。奥側ストッパ１３４は、カード保持部１３２の奥側に形成され、カード保持部１３２の窪みの奥側の側面を形成している。
【００９０】
図２３は、実施例３の画像読取装置の搬送路切替部１３１がストレートパス案内位置に配置されている状態を示す概略断面図である。搬送路切替部１３１は、ストレートパス案内位置に配置されているときに、図２３に示されているように、原稿１３５をカード保持部１３２の窪みの内部に配置することにより、原稿１３５を保持する。このとき、手前側ストッパ１３３は、カード保持部１３２に保持された原稿１３５の手前側の端に当接することにより、原稿１３５が手前側に滑り落ちることを防止することができる。
【００９１】
図２４は、実施例３の画像読取装置の搬送路切替部１３１がＵターンパス案内位置に配置されている状態を示す概略断面図である。奥側ストッパ１３４は、Ｕターンパス案内位置に配置されているときに、図２４に示されているように、カード保持部１３２に保持された原稿１３５の奥側の端に当接することにより、原稿１３５が奥側に滑り落ちることを防止することができる。
【００９２】
［実施例３の画像読取装置の動作］
図２５は、実施例３の画像読取装置の動作を示すフローチャートである。ユーザは、実施例３の画像読取装置を用いて複数の原稿の画像を読み取りたいときに、まず、シュータ３を展開し、シュータ３を延伸させ、スタッカ６を展開し、スタッカ６を延伸させる。ユーザは、次いで、実施例３の画像読取装置を用いて読み取りたい複数の原稿をシュータ載置面１１に載置する。ユーザは、原稿をシュータ載置面１１に載置した後に、実施例３の画像読取装置が起動するように、入出力装置８７を操作する。
【００９３】
実施例３の画像読取装置の制御装置８４は、図２５に示されているように、起動すると、搬送装置３１を制御することにより、シュータ３に載置されている複数の原稿のうちの最も上の１つの原稿をシュータ載置面１１から搬送路６５に搬送する（ステップＳ４１）。制御装置８４は、さらに、搬送装置３１を制御することにより、搬送路６５を搬送された原稿を下側画像センサ６１と上側画像センサ６２との間に搬送する。制御装置８４は、さらに、搬送装置３１を制御することにより、下側画像センサ６１と上側画像センサ６２との間を搬送された原稿を搬送路６６に搬送する。
【００９４】
制御装置８４は、搬送路６５に原稿が搬送されているときに、さらに、厚さセンサ８１を制御することにより、搬送路６５を搬送される原稿の厚さを測定する。制御装置８４は、下側画像センサ６１と上側画像センサ６２との間に原稿が搬送されているときに、読取装置３２を制御することにより、その搬送されている原稿の表面の画像と裏面の画像とを読み取る（ステップＳ４２）。
【００９５】
制御装置８４は、搬送路６５に原稿が搬送されているときに厚さセンサ８１により測定された厚さが閾値より小さいときに、その原稿が紙であると判別し、その測定された厚さがその閾値より大きいときに、その原稿がカードであると判別する（ステップＳ４３）。
【００９６】
制御装置８４は、搬送路６５を搬送された原稿が紙であると判別されたときに（ステップＳ４３、紙）、切替ガイドアクチュエータ８３を制御することにより、搬送路切替部１３１をＵターンパス案内位置に配置する（ステップＳ４４）。搬送路６６を搬送された原稿は、搬送路切替部１３１がＵターンパス案内位置に配置されていることにより、Ｕターン搬送路６７に搬送され、スタッカ６に載置される（ステップＳ４５）。
【００９７】
制御装置８４は、搬送路６５を搬送された原稿がカードであると判別されたときに（ステップＳ４３、カード）、切替ガイドアクチュエータ８３を制御することにより、搬送路切替部１３１をストレートパス案内位置に配置する（ステップＳ４６）。搬送路６６を搬送された原稿は、搬送路切替部１３１がストレートパス案内位置に配置されていることにより、ストレート搬送路６８に搬送され（ステップＳ４７）、搬送路切替部１３１のカード保持部１３２に保持される（ステップＳ４８）。
【００９８】
制御装置８４は、ステップＳ４５またはステップＳ４８の後で、シュータ載置面１１に載置されている複数の原稿で、その原稿が最後でないときに（ステップＳ４９、Ｎｏ）、再度ステップＳ４２〜ステップＳ４８の処理を実行する。
【００９９】
このような動作によれば、実施例３の画像読取装置は、図１４の動作と同様にして、カードがＵターン搬送路６７で詰まるジャムが発生することを防止することができ、かつ、ストレート搬送路６８を介して排紙された原稿の回収を容易にすることができる。実施例３の画像読取装置は、さらに、カード保持部１３２に保持された原稿が落下しないように搬送路切替部１３１がＵターンパス案内位置に配置されることができることにより、複数の原稿の読取が終了するまで、原稿の搬送を途中で停止する必要がない。このため、実施例３の画像読取装置は、既述の実施例１の画像読取装置１に比較して、紙とカードとを含む複数の原稿をより高速に読み取ることができる。
【０１００】
実施例３の画像読取装置の搬送路切替部１３１は、Ｕターンパス案内位置に配置されるときに、搬送路切替部１３１に保持される原稿が引っ掛かる奥側ストッパ１３４が形成されている。このような画像読取装置は、奥側ストッパ１３４が形成されていることにより、搬送路切替部１３１が原稿を保持したままの状態で搬送路切替部１３１をＵターンパス案内位置に配置することができる。実施例３の画像読取装置は、搬送路切替部１３１が原稿を保持したままＵターンパス案内位置に配置されることにより、搬送路切替部１３１に保持された原稿の回収を待機する必要がなく、カードと紙とを含む複数の原稿を高速に読み取ることができる。
【実施例４】
【０１０１】
図２６は、実施例４の画像読取装置の搬送装置の一部を示す概略断面図である。実施例４の画像読取装置は、図２６に示されているように、既述の実施例１の画像読取装置１の搬送路切替部７１がさらに他の搬送路切替部１４１に置換されている。搬送路切替部１４１は、既述の搬送路切替部７１にストッパ１４２が追加されることにより、形成されている。ストッパ１４２は、カード保持部７５のうちの回転軸７２に近い側の端に形成され、カード保持部７５から突出するように形成されている。
【０１０２】
図２７は、実施例４の画像読取装置の搬送路切替部１４１がストレートパス案内位置に配置されている状態を示す概略断面図である。図２８は、実施例４の画像読取装置の搬送路切替部１４１がストレートパス案内位置に配置されている状態を示す斜視図である。ストッパ１４２は、搬送路切替部１４１がストレートパス案内位置に配置されているときに、図２７、図２８に示されているように、搬送路切替部１４１に保持された原稿１４４の奥側の端面に対向している。このため、ストッパ１４２は、原稿１４４の奥側の端に当接することにより、原稿が奥側に滑り落ちることを防止することができる。このため、搬送路切替部１４１は、ストレートパス案内位置に配置されているときに、図２７に示されているように、搬送路切替部１４１のうちの回転軸７２から遠い側の端が回転軸７２より上側に配置される場合でも、原稿１４４を適切に保持することができる。
【０１０３】
図２９は、実施例４の画像読取装置の搬送路切替部１４１がＵターンパス案内位置に配置されている状態を示す概略断面図である。図３０は、実施例４の画像読取装置の搬送路切替部１４１がＵターンパス案内位置に配置されている状態を示す斜視図である。ストッパ１４２は、搬送路切替部１４１がＵターンパス案内位置に配置されているときに、図２９、図３０に示されているように、原稿１４４の奥側の端に当接することにより、原稿１４４が奥側に滑り落ちることを防止することができる。
【０１０４】
原稿１４４の次に搬送路６６を搬送された紙の原稿１４５は、図２９に示されているように、搬送路切替部１４１がＵターンパス案内位置に配置されているときに、原稿１４４に接触して摺動することにより、Ｕターン搬送路６７に案内される。
【０１０５】
実施例４の画像読取装置は、搬送路切替部１４１を備えることにより、実施例１の画像読取装置１と同様にして、Ｕターン搬送路６７でカードが詰まるジャムの発生を防止することができ、かつ、ストレート搬送路６８を介して排紙された原稿の回収を容易にすることができる。
【実施例５】
【０１０６】
図３１は、実施例５の画像読取装置の搬送装置の一部を示す概略断面図である。実施例５の画像読取装置は、図３１に示されているように、既述の実施例１の画像読取装置１の搬送路切替部７１がさらに他の搬送路切替部１５１に置換されている。搬送路切替部１５１は、既述の搬送路切替部１４１に傾斜路１５３が追加されることにより、形成されている。傾斜路１５３は、カード保持部７５のうちの回転軸７２から遠い側の端に形成され、カード保持部７５から突出するように形成されている。
【０１０７】
図３２は、実施例５の画像読取装置の搬送路切替部１５１がストレートパス案内位置に配置されている状態を示す概略断面図である。図３３は、実施例５の画像読取装置の搬送路切替部１５１がストレートパス案内位置に配置されている状態を示す斜視図である。ストッパ１４２は、搬送路切替部１５１がストレートパス案内位置に配置されているときに、図３２に示されているように、搬送路切替部１５１に保持された原稿１５５の奥側の端面に対向している。このため、ストッパ１４２は、原稿１５５の奥側の端に当接することにより、原稿が奥側に滑り落ちることを防止することができる。傾斜路１５３は、図３３に示されているように、複数の三角形の板から形成され、その複数の三角形の板は、回転軸７２に垂直である複数の平行面にそれぞれ沿うように、三角形の１辺がカード保持部７５の回転軸７２から遠い手前側の領域に接合されている。搬送路切替部１５１のカード保持部７５から傾斜路１５３が突出する高さは、第５搬送ガイド３７の厚さより大きい。
【０１０８】
図３４は、実施例５の画像読取装置の搬送路切替部１５１がＵターンパス案内位置に配置されている状態を示す概略断面図である。図３５は、実施例５の画像読取装置の搬送路切替部１５１がＵターンパス案内位置に配置されている状態を示す斜視図である。ストッパ１４２は、搬送路切替部１５１がストレートパス案内位置に配置されているときに、図３４、図３５に示されているように、原稿１５５の奥側の端に当接することにより、原稿が奥側に滑り落ちることを防止している。
【０１０９】
原稿１５５の次に搬送路６６を搬送された紙の原稿１５６は、図３４に示されているように、搬送路切替部１５１がＵターンパス案内位置に配置されているときに、原稿１５５に接触して摺動することにより、Ｕターン搬送路６７に案内される。
【０１１０】
実施例５の画像読取装置は、搬送路切替部１５１を備えることにより、実施例１の画像読取装置１と同様にして、Ｕターン搬送路６７でのジャムを防止することができ、かつ、ストレート搬送路６８を介して排紙された原稿の回収を容易にすることができる。実施例５の画像読取装置は、さらに、傾斜路１５３が設けられていることにより、Ｕターン搬送路６７に案内される原稿が第５搬送ガイド３７に引っ掛かることが防止され、Ｕターン搬送路６７に原稿を適切に搬送することができる。
【実施例６】
【０１１１】
図３６は、実施例６の画像読取装置の搬送装置の一部を示す概略断面図である。実施例６の画像読取装置は、図３６に示されているように、既述の実施例１の画像読取装置１の搬送路切替部７１がさらに他の搬送路切替部１６１に置換されている。搬送路切替部１６１は、第１搬送路切替部１６２と第２搬送路切替部１６３とを備えている。第１搬送路切替部１６２は、板状に形成され、回転軸１６４を中心に回転可能に第５搬送ガイド３７に支持されている。回転軸１６４は、回転軸７２に平行であり、第５搬送ガイド３７の下端に配置されている。第１搬送路切替部１６２は、案内面１６５が形成されている。案内面１６５は、原稿が滑りやすいように滑らかに形成されている。このとき、切替ガイドアクチュエータ８３は、制御装置８４に制御されることにより、回転軸７２を中心に第２搬送路切替部１６３を回転させ、回転軸１６４を中心に第１搬送路切替部１６２を回転させる。第２搬送路切替部１６３は、既述の搬送路切替部１４１と同様に形成されている。すなわち、第２搬送路切替部１６３は、カード保持部７５が形成され、カード保持部７５の回転軸７２に近い奥側の端にストッパ１４２が形成されている。
【０１１２】
図３７は、実施例６の画像読取装置の搬送路切替部１６１がストレートパス案内位置に配置されている状態を示す概略断面図である。第１搬送路切替部１６２は、搬送路切替部１６１がストレートパス案内位置に配置されているときに、図３７に示されているように、案内面１６５が下を向くように、水平面に沿うように、退避位置に配置される。第２搬送路切替部１６３は、搬送路切替部１６１がストレートパス案内位置に配置されているときに、水平面に沿うように、カード受取位置に配置される。ストレート搬送路６８は、第１搬送路切替部１６２が退避位置に配置され、第２搬送路切替部１６３がカード受取位置に配置されることにより、搬送路６６に接続される。
【０１１３】
図３８は、実施例６の画像読取装置の搬送路切替部１６１が原稿を保持している状態を示す概略断面図である。第２搬送路切替部１６３は、カード受取位置に配置されているときに、図３８に示されているように、ストレート搬送路６８を搬送された原稿１６６がカード保持部７５に載置されるように、原稿１６６を保持することができる。
【０１１４】
図３９は、実施例６の画像読取装置の搬送路切替部１６１がストレートパス案内位置からＵターンパス案内位置に移動する途中の状態を示す概略断面図である。搬送路切替部１６１は、ストレートパス案内位置からＵターンパス案内位置に移動するときに、まず、図３９に示されているように、第２搬送路切替部１６３がカード受取位置に停止したままで、第１搬送路切替部１６２が回転軸１６４を中心に回転する。第１搬送路切替部１６２は、回転することにより、案内面１６５が搬送路６６とストレート搬送路６８とを隔てるように、搬送路６６とストレート搬送路６８との間の原稿当接位置に配置される。
【０１１５】
図４０は、実施例６の画像読取装置の搬送路切替部１６１がＵターンパス案内位置に配置されている状態を示す概略断面図である。第１搬送路切替部１６２は、搬送路切替部１６１がＵターンパス案内位置に配置されているときに、図４０に示されているように、原稿当接位置に配置されている。第２搬送路切替部１６３は、搬送路切替部１６１がＵターンパス案内位置に配置されているときに、原稿１６６が第１搬送路切替部１６２の案内面１６５の裏面に接触するように、アシスト位置に配置されている。第２搬送路切替部１６３は、原稿１６６を保持していない場合で、搬送路切替部１６１がＵターンパス案内位置に配置されているときに、アシスト位置に配置され、第２搬送路切替部１６３の一部が第１搬送路切替部１６２に接触するように、配置されている。
【０１１６】
搬送路切替部１６１は、Ｕターンパス案内位置からストレートパス案内位置に移動するときに、まず、第２搬送路切替部１６３が回転軸７２を中心に回転され、第２搬送路切替部１６３がカード受取位置に配置される。搬送路切替部１６１は、Ｕターンパス案内位置からストレートパス案内位置に移動するときに、第２搬送路切替部１６３がカード受取位置に配置された後に、第１搬送路切替部１６２が回転軸１６４を中心に回転し、退避位置に配置される。
【０１１７】
実施例６の画像読取装置も、搬送路切替部１６１を備えることにより、既述の実施例１の画像読取装置１と同様にして、Ｕターン搬送路６７でのジャムを防止することができ、かつ、ストレート搬送路６８を介して排紙された原稿の回収を容易にすることができる。搬送路切替部１６１は、Ｕターンパス案内位置に配置されているときに、第２搬送路切替部１６３が第１搬送路切替部１６２に沿うことにより、第１搬送路切替部１６２が回転することを第２搬送路切替部１６３が防止している。このため、実施例６の画像読取装置は、搬送路６６を搬送された原稿を適切にＵターン搬送路６７に案内することができる。
【０１１８】
実施例６の画像読取装置の搬送路切替部１６１は、第１搬送路切替部１６２と第２搬送路切替部１６３とを有している。第１搬送路切替部１６２は、原稿当接位置に配置されることにより原稿をＵターン搬送路６７に案内し、退避位置に配置されることにより原稿をストレート搬送路６８に案内する。第２搬送路切替部１６３は、第１搬送路切替部１６２が退避位置に配置されるときに、カード受取位置に配置されることにより、ストレート搬送路６８を介して搬送された原稿を保持する。このような画像読取装置は、第２搬送路切替部１６３が移動可能であることにより、ストレート搬送路６８を介して搬送された原稿を保持する第２搬送路切替部１６３を格納することができ、小型である。
【０１１９】
また、実施例６の画像読取装置の第２搬送路切替部１６３は、第１搬送路切替部１６２が原稿当接位置に配置されているときに、アシスト位置に配置されることにより、第１搬送路切替部１６２を原稿当接位置に保持する。
【０１２０】
このような画像読取装置は、第１搬送路切替部１６２が原稿当接位置に配置されるときに第２搬送路切替部１６３がアシスト位置に配置されることにより、第１搬送路切替部１６２が原稿当接位置から移動してしまうことを防止することができる。画像読取装置は、原稿をＵターン搬送路６７に案内するときに第１搬送路切替部１６２が移動してしまうことを防止することにより、Ｕターン搬送路６７に原稿を安定して案内することができる。
【実施例７】
【０１２１】
図４１は、実施例７の画像読取装置の搬送装置の一部を示す概略断面図である。実施例７の画像読取装置は、図４１に示されているように、既述の実施例１の画像読取装置１の搬送路切替部７１がさらに他の搬送路切替部１７１に置換されている。搬送路切替部１７１は、第１搬送路切替部１７２と第２搬送路切替部１７３とを備えている。第１搬送路切替部１７２は、板状に形成され、回転軸７２を中心に回転可能にフレーム２０に支持されている。第２搬送路切替部１７３は、搬送路切替部１２１と同様に形成されている。すなわち、第２搬送路切替部１７３は、カード保持部７５とストッパ１２２とが形成されている。
【０１２２】
図４２は、実施例７の画像読取装置の搬送路切替部１７１がＵターンパス案内位置に配置されている状態を示す斜視図である。搬送路切替部１７１は、図４２に示されているように、さらに、駆動軸１７５とトルクリミッタ１７６と回転伝達部１７７とを備えている。駆動軸１７５は、棒状に形成され、回転軸７２を中心に回転可能にフレーム２０に支持されている。切替ガイドアクチュエータ８３は、制御装置８４に制御されることにより、回転軸７２を中心に駆動軸１７５を回転させる。トルクリミッタ１７６は、駆動軸１７５の回転を第１搬送路切替部１７２に伝達する。トルクリミッタ１７６は、さらに、第１搬送路切替部１７２に伝達されるトルクの絶対値が所定の値を超えるときに、回転が第１搬送路切替部１７２に伝達することを遮断する。回転伝達部１７７は、駆動軸１７５が所定の範囲に配置されていないときに、駆動軸１７５の回転を第２搬送路切替部１７３に伝達しないで、駆動軸１７５が所定の範囲に配置されているときに、駆動軸１７５の回転を第２搬送路切替部１７３に伝達する。
【０１２３】
第１搬送路切替部１７２は、搬送路切替部１７１がＵターンパス案内位置に配置されているときに、図４１に示されているように、搬送路６６とストレート搬送路６８とを隔てるように、原稿当接位置に配置されている。第１搬送路切替部１７２は、原稿当接位置に配置されているときに、第１搬送路切替部１７２の一部が第５搬送ガイド３７に当接している。第２搬送路切替部１７３は、搬送路切替部１７１がＵターンパス案内位置に配置されているときに、図４２に示されているように、第１搬送路切替部１７２に沿うようにアシスト位置に配置されている。第１搬送路切替部１７２は、原稿当接位置に配置されているときに、第２搬送路切替部１７３がアシスト位置に配置されていることにより、搬送路６６を搬送される原稿に衝突された場合でも、移動することが防止される。搬送路切替部１７１は、Ｕターンパス案内位置に配置されているときに、第１搬送路切替部１７２の移動が防止されていることにより、Ｕターン搬送路６７に原稿を適切に案内することができる。
【０１２４】
図４３は、実施例７の画像読取装置の搬送路切替部１７１がストレートパス案内位置に配置されている状態を示す概略断面図である。図４４は、実施例７の画像読取装置の搬送路切替部１７１がストレートパス案内位置に配置されている状態を示す斜視図である。第２搬送路切替部１７３は、図４３に示されているように、搬送路切替部１７１がストレートパス案内位置に配置されているときに、カード受取位置に配置されている。第２搬送路切替部１７３は、カード受取位置に配置されているときに、第２搬送路切替部１７３のうちのストッパ１２２が形成されている端が回転軸７２より低くなるように傾斜して、配置されている。第２搬送路切替部１７３は、カード受取位置に配置されているときに、原稿１７８をカード保持部７５に配置することにより、原稿１７８を保持する。このとき、ストッパ１２２は、カード保持部７５に保持された原稿１７８の手前側の端に当接することにより、原稿１７８が手前側に滑り落ちることを防止する。第１搬送路切替部１７２は、搬送路切替部１７１がストレートパス案内位置に配置されているときに、図４４に示されているように、第２搬送路切替部１７３に沿うように退避位置に配置されている。搬送路切替部１７１は、第１搬送路切替部１７２が退避位置に配置され、第２搬送路切替部１７３がカード受取位置に配置されることにより搬送路６６をストレート搬送路６８に接続している。
【０１２５】
図４５は、実施例７の画像読取装置の搬送路切替部１７１が他のＵターンパス案内位置に配置されている状態を示す概略断面図である。図４６は、実施例７の画像読取装置の搬送路切替部１７１が他のＵターンパス案内位置に配置されている状態を示す斜視図である。第１搬送路切替部１７２は、搬送路切替部１７１が他のＵターンパス案内位置に配置されているときに、図４５、図４６に示されているように、原稿当接位置に配置されている。第２搬送路切替部１７３は、搬送路切替部１７１が他のＵターンパス案内位置に配置されているときに、第１搬送路切替部１７２に沿わないように、カード受取位置に配置されている。第２搬送路切替部１７３は、第１搬送路切替部１７２が原稿当接位置に配置されている場合でも、カード受取位置に配置されているときに、原稿１７８をカード保持部７５に配置することにより、原稿１７８を保持する。このとき、ストッパ１２２は、カード保持部７５に保持された原稿１７８の手前側の端に当接することにより、原稿１７８が手前側に滑り落ちることを防止する。
【０１２６】
切替ガイドアクチュエータ８３は、駆動軸１７５をストレートパス案内角度からＵターンパス案内角度までの範囲を回転させることにより、搬送路切替部１７１をストレートパス案内位置とＵターンパス案内位置と他のＵターンパス案内位置とに配置させることができる。すなわち、駆動軸１７５は、搬送路切替部１７１がストレートパス案内位置に配置されているときに、ストレートパス案内角度に配置されている。駆動軸１７５は、搬送路切替部１７１がＵターンパス案内位置に配置されているときに、Ｕターンパス案内角度に配置されている。駆動軸１７５は、搬送路切替部１７１が他のＵターンパス案内位置に配置されているときに、他のＵターンパス案内角度に配置されている。他のＵターンパス案内角度は、ストレートパス案内角度とＵターンパス案内角度との間に配置されている。
【０１２７】
切替ガイドアクチュエータ８３は、搬送路切替部１７１がストレートパス案内位置に配置されているときに、駆動軸１７５をストレートパス案内角度から他のＵターンパス案内角度に回転させることにより、搬送路切替部１７１を他のＵターンパス案内位置に移動させる。トルクリミッタ１７６は、駆動軸１７５がストレートパス案内角度から他のＵターンパス案内角度に回転するときに、駆動軸１７５の回転を第１搬送路切替部１７２に伝達し、第１搬送路切替部１７２を退避位置から原稿当接位置に移動させる。回転伝達部１７７は、駆動軸１７５がストレートパス案内角度から他のＵターンパス案内角度に回転するときに、駆動軸１７５の回転を第２搬送路切替部１７３に伝達しないで、第２搬送路切替部１７３がカード受取位置に配置されたままにする。
【０１２８】
切替ガイドアクチュエータ８３は、搬送路切替部１７１が他のＵターンパス案内位置に配置されているときに、駆動軸１７５を他のＵターンパス案内角度からＵターンパス案内角度に回転させることにより、搬送路切替部１７１をＵターンパス案内位置に移動させる。第１搬送路切替部１７２は、原稿当接位置に配置されているときに、第５搬送ガイド３７に接触している。このため、トルクリミッタ１７６は、駆動軸１７５が他のＵターンパス案内角度からＵターンパス案内角度に回転するときに、駆動軸１７５の回転を第１搬送路切替部１７２に伝達しないで、第１搬送路切替部１７２が原稿当接位置に配置されたままにする。回転伝達部１７７は、駆動軸１７５が他のＵターンパス案内角度からＵターンパス案内角度に回転するときに、駆動軸１７５の回転を第２搬送路切替部１７３に伝達し、第２搬送路切替部１７３をアシスト位置に移動させる。
【０１２９】
切替ガイドアクチュエータ８３は、搬送路切替部１７１がＵターンパス案内位置に配置されているときに、駆動軸１７５をＵターンパス案内角度からストレートパス案内角度に回転させることにより、搬送路切替部１７１をストレートパス案内位置に移動させる。回転伝達部１７７は、駆動軸１７５がＵターンパス案内角度からストレートパス案内角度に回転するときに、第２搬送路切替部１７３がカード受取位置に配置されるまで、駆動軸１７５の回転を第２搬送路切替部１７３に伝達し、第２搬送路切替部１７３をカード受取位置に移動させる。回転伝達部１７７は、第２搬送路切替部１７３がカード受取位置に配置された後で、駆動軸１７５がストレートパス案内角度に回転するときに、駆動軸１７５の回転を第２搬送路切替部１７３に伝達しないで、第２搬送路切替部１７３がカード受取位置に配置されたままにする。トルクリミッタ１７６は、駆動軸１７５がＵターンパス案内角度からストレートパス案内角度に回転するときに、第１搬送路切替部１７２が第２搬送路切替部１７３に密着するまで、駆動軸１７５の回転を第１搬送路切替部１７２に伝達し、第１搬送路切替部１７２を退避位置に移動させる。トルクリミッタ１７６は、第１搬送路切替部１７２が退避位置に配置された後で、駆動軸１７５がストレートパス案内角度に回転するときに、駆動軸１７５の回転を第２搬送路切替部１７３に伝達しないで、第２搬送路切替部１７３がカード受取位置に配置されたままにする。
【０１３０】
切替ガイドアクチュエータ８３は、搬送路切替部１７１が他のＵターンパス案内位置に配置されているときに、駆動軸１７５を他のＵターンパス案内角度からストレートパス案内角度に回転させることにより、搬送路切替部１７１をストレートパス案内位置に移動させる。回転伝達部１７７は、駆動軸１７５が他のＵターンパス案内角度からストレートパス案内角度に回転するときに、駆動軸１７５の回転を第２搬送路切替部１７３に伝達しないで、第２搬送路切替部１７３がカード受取位置に配置されたままにする。トルクリミッタ１７６は、駆動軸１７５がストレートパス案内角度に回転するときに、第１搬送路切替部１７２が第２搬送路切替部１７３に密着するまで、駆動軸１７５の回転を第１搬送路切替部１７２に伝達し、第１搬送路切替部１７２を退避位置に移動させる。
【０１３１】
実施例７の画像読取装置は、図１４の動作のステップＳ４が他の処理に置換された動作を実行する。その処理では、制御装置８４は、搬送路６５を搬送された原稿が紙であると判別されたときに、排出カード検出センサ８２を制御することにより、第２搬送路切替部１７３に原稿が保持されているかどうかを検出する。制御装置８４は、第２搬送路切替部１７３に原稿が保持されていないときに、切替ガイドアクチュエータ８３を制御することにより、搬送路切替部１７１をＵターンパス案内位置に移動する。制御装置８４は、第２搬送路切替部１７３に原稿が保持されているときに、切替ガイドアクチュエータ８３を制御することにより、搬送路切替部１７１を他のＵターンパス案内位置に移動する。
【０１３２】
このような動作によれば、実施例７の画像読取装置は、図１４の動作と同様にして、カードがＵターン搬送路６７で詰まるジャムが発生することを防止することができ、かつ、ストレート搬送路６８を介して排紙された原稿の回収を容易にすることができる。搬送路切替部１７１は、Ｕターンパス案内位置に配置されているときに、第２搬送路切替部１７３が第１搬送路切替部１７２に沿うことにより、第１搬送路切替部１７２が移動することを第２搬送路切替部１７３が防止している。このため、実施例７の画像読取装置は、搬送路切替部１７１がＵターンパス案内位置に配置されているときに、搬送路６６を搬送された原稿を適切にＵターン搬送路６７に案内することができる。
【実施例８】
【０１３３】
図４７は、実施例８の画像読取装置の搬送装置の一部を示す概略断面図である。実施例８の画像読取装置は、図４７に示されているように、既述の実施例２の画像読取装置がスタック部１８１をさらに備えている。スタック部１８１は、箱状に形成され、筐体２の内部のうちの第４搬送ローラ４４の下部に配置されている。
【０１３４】
図４８は、実施例８の画像読取装置の搬送路切替部１２１がストレートパス案内位置に配置されている状態を示す概略断面図である。図４９は、実施例８の画像読取装置の搬送路切替部１２１がストレートパス案内位置に配置されている状態を示す斜視図である。搬送路切替部１２１は、ストレートパス案内位置に配置されているときに、図４７、図４８に示されているように、搬送路切替部１２１の手前側の端が低くなるように傾斜して配置されている。搬送路切替部１２１は、原稿１８２を保持するときに、原稿１８２がストッパ１２２により手前側に滑り落ちることが防止されている。
【０１３５】
図５０は、実施例８の画像読取装置の搬送路切替部１２１がカード移動位置に配置されている状態を示す概略断面図である。搬送路切替部１２１は、カード移動位置に配置されているときに、図５０に示されているように、搬送路切替部１２１のストッパ１２２が形成される端が回転軸７２より高くなるように、傾斜している。このため、搬送路切替部１２１に保持されていた原稿１８２は、搬送路切替部１２１がカード移動位置に配置されることにより、搬送路切替部１２１を滑り、奥側に移動する。
【０１３６】
図５１は、実施例８の画像読取装置の搬送路切替部１２１がカード移動位置に配置されている他の状態を示す概略断面図である。搬送路切替部１２１を滑った原稿１８２は、図５１に示されているように、第４搬送ローラ４４の下側に接触する。原稿１８２は、第４搬送ローラ４４の下側に接触することにより、さらに奥側に搬送され、搬送路切替部１２１から落とされる。
【０１３７】
図５２は、実施例８の画像読取装置の搬送路切替部１２１がカード移動位置に配置されているさらに他の状態を示す概略断面図である。搬送路切替部１２１から落ちた原稿１８２は、図５２に示されているように、スタック部１８１の内部に格納される。すなわち、スタック部１８１は、カード移動位置に配置されている搬送路切替部１２１から落とされた原稿１８２がスタック部１８１の内部に格納されるように、設計されている。
【０１３８】
図５３は、実施例８の画像読取装置の搬送路切替部１２１がＵターンパス案内位置に配置されている状態を示す概略断面図である。図５４は、実施例８の画像読取装置の搬送路切替部１２１がＵターンパス案内位置に配置されている状態を示す斜視図である。搬送路切替部１２１は、Ｕターンパス案内位置に配置されているときに、図５３に示されているように、搬送路６６をＵターン搬送路６７に接続している。搬送路切替部１２１は、Ｕターンパス案内位置に配置されているときに、図５４に示されているように、一部が第５搬送ガイド３７に接触している。
【０１３９】
図５５は、実施例８の画像読取装置の動作を示すフローチャートである。ユーザは、実施例８の画像読取装置を用いて複数の原稿の画像を読み取りたいときに、まず、実施例８の画像読取装置のシュータ３を展開し、シュータ３を延伸させ、スタッカ６を展開し、スタッカ６を延伸させる。その複数の原稿は、紙とカードとを含んでいる。ユーザは、シュータ３を展開して延伸させた後に、実施例８の画像読取装置を用いて読み取りたい複数の原稿をシュータ載置面１１に載置する。ユーザは、原稿をシュータ載置面１１に載置した後に、実施例８の画像読取装置が起動するように、入出力装置８７を操作する。
【０１４０】
実施例８の画像読取装置の制御装置８４は、図５５に示されているように、起動すると、搬送装置３１を制御することにより、シュータ３に載置されている複数の原稿のうちの最も上の原稿をシュータ載置面１１から搬送路６５に搬送する（ステップＳ５１）。制御装置８４は、さらに、搬送装置３１を制御することにより、搬送路６５を搬送された原稿を下側画像センサ６１と上側画像センサ６２との間に搬送する。制御装置８４は、さらに、搬送装置３１を制御することにより、下側画像センサ６１と上側画像センサ６２との間を搬送された原稿を搬送路６６に搬送する。
【０１４１】
制御装置８４は、搬送路６５に原稿が搬送されているときに、さらに、厚さセンサ８１を制御することにより、搬送路６５を搬送される原稿の厚さを測定する。制御装置８４は、下側画像センサ６１と上側画像センサ６２との間に原稿が搬送されているときに、読取装置３２を制御することにより、その搬送されている原稿の表面の画像と裏面の画像とを読み取る（ステップＳ５２）。制御装置８４は、さらに、その読み取られた原稿の画像をメモリ８６に記録する。制御装置８４は、さらに、その読み取られた原稿の画像を画像処理し、その画像処理された画像をメモリ８６に記録する。
【０１４２】
制御装置８４は、搬送路６５に原稿が搬送されているときに厚さセンサ８１により測定された厚さが閾値より小さいときに、その原稿が紙であると判別し、その測定された厚さがその閾値より大きいときに、その原稿がカードであると判別する（ステップＳ５３）。
【０１４３】
制御装置８４は、搬送路６５を搬送された原稿が紙であると判別されたときに（ステップＳ５３、紙）、切替ガイドアクチュエータ８３を制御することにより、搬送路切替部１２１をＵターンパス案内位置に配置する（ステップＳ５４）。搬送路６６を搬送された原稿は、搬送路切替部１２１がＵターンパス案内位置に配置されていることにより、Ｕターン搬送路６７に搬送され、スタッカ６に載置される（ステップＳ５５）。
【０１４４】
制御装置８４は、搬送路６５を搬送された原稿がカードであると判別されたときに（ステップＳ５３、カード）、切替ガイドアクチュエータ８３を制御することにより、搬送路切替部１２１をストレートパス案内位置に配置する（ステップＳ５６）。搬送路６６を搬送された原稿は、搬送路切替部１２１がストレートパス案内位置に配置されていることにより、ストレート搬送路６８に搬送され（ステップＳ５７）、搬送路切替部１２１のカード保持部７５に載置されることにより、搬送路切替部１２１に保持される（ステップＳ５８）。
【０１４５】
制御装置８４は、搬送路切替部１２１に原稿が保持されると、切替ガイドアクチュエータ８３を制御することにより、搬送路切替部１２１をカード移動位置に移動させる（ステップＳ５９）。搬送路切替部１２１に保持されていた原稿は、搬送路切替部１２１がカード移動位置に移動することにより、奥側に移動し、第４搬送ローラ４４に接触する。第４搬送ローラ４４に接触した原稿は、第４搬送ローラ４４が正転していることより、さらに奥側に移動し、搬送路切替部１２１から落下し、スタック部１８１に格納される（ステップＳ６０）。
【０１４６】
制御装置８４は、ステップＳ５５またはステップＳ６０が実行された後で、シュータ載置面１１に載置されている複数の原稿で、その原稿が最後でないときに（ステップＳ６１、Ｎｏ）、ステップＳ５２〜ステップＳ６０の処理を再度実行する。このような動作によれば、実施例８の画像読取装置は、既述の実施例１の画像読取装置１と同様にして、小型で、かつ、カードがＵターン搬送路６７で詰まるジャムが発生することを防止することができる。
【０１４７】
実施例８の画像読取装置は、スタック部１８１をさらに備えている。制御装置８４は、搬送路切替部１２１が原稿を保持した後に、搬送路切替部１２１がカード移動位置に移動するように切替ガイドアクチュエータ８３を制御する。搬送路切替部１２１は、搬送路切替部１２１が原稿１８２を保持した後にカード移動位置に配置されることにより、原稿１８２がスタック部１８１に格納されるように原稿１８２を滑り落とす。
【０１４８】
このような画像読取装置は、搬送路切替部１２１が原稿１８２を保持した後でも、原稿１８２をスタック部１８１に格納することにより、原稿１８２を搬送路切替部１２１から回収することなく、次の原稿をＵターン搬送路６７に案内することができる。さらに、実施例８の画像読取装置は、搬送路切替部１２１が複数の原稿を保持しない。このため、実施例８の画像読取装置は、搬送路切替部１２１として複数の原稿を保持することができるように大きく形成する必要がなく、実施例３、４、６、７の画像読取装置の搬送路切替部に比較して、搬送路切替部１２１をより小さく設計することができる。実施例８の画像読取装置は、搬送路切替部１２１を小さく設計することにより、装置規模をさらに小型化することができる。
【０１４９】
また、実施例８の画像読取装置の搬送装置３１は、読取装置３２から搬送路切替部１２１に原稿を搬送する第４搬送ローラ４４を備えている。第４搬送ローラ４４は、さらに、搬送路切替部１２１からスタック部１８１に原稿を搬送する。このような画像読取装置は、読取装置３２から搬送路切替部１２１に原稿を搬送する第４搬送ローラ４４が搬送路切替部１２１からスタック部１８１に原稿１８２を搬送することにより、原稿１８２をスタック部１８１に適切に載置することができる。
【０１５０】
ところで、実施例８の画像読取装置は、搬送路切替部１２１からスタック部１８１に原稿１８２を滑り落とすときに、原稿１８２を第４搬送ローラ４４に接触させている。しかしながら、実施例８の画像読取装置は、原稿１８２を第４搬送ローラ４４に接触させなくても原稿１８２が搬送路切替部１２１に適切に格納されるときに、原稿１８２を第４搬送ローラ４４に接触させなくてもよい。実施例８の画像読取装置は、原稿１８２を第４搬送ローラ４４に接触させない場合でも、搬送路切替部１２１がスタック部１８１に原稿１８２を滑り落とすことにより、原稿１８２を回収することなく、次の原稿をＵターン搬送路６７に案内することができる。
【０１５１】
なお、実施形態の画像読取装置は、読取装置３２が下側画像センサ６１と上側画像センサ６２とを備えているが、どちらか一方が搬送ガイドに置換されてもよい。下側画像センサ６１または上側画像センサ６２の一方が搬送ガイドに置換された画像読取装置は、搬送される原稿の片方の面のみを読み取る。このような画像読取装置も、搬送路切替部を備えることにより、小型で、かつ、ストレート搬送路６８を介して排紙された原稿の回収を容易にすることができる。
【０１５２】
なお、厚さセンサ８１は、搬送路６５を搬送される原稿がＵターン搬送路６７を適切に搬送されることができるかどうかを検出する他のセンサに置換されることができる。そのセンサとしては、搬送路６５を搬送される原稿を透過する透過光に基づいて、原稿の素材を検出するセンサが例示される。実施形態の画像読取装置１は、厚さセンサ８１がこのようなセンサに置換された場合でも、原稿の種類に応じて搬送路を切り替えることにより、原稿に屈曲癖がつくこと、Ｕターン搬送路６７で紙詰まりが発生すること等を防止し、原稿を適切に搬送することができる。さらに、画像読取装置１は、厚さセンサ８１がこのようなセンサに置換された場合でも、搬送路切替部７１を備えることにより、小型で、かつ、ストレート搬送路６８を介して排紙された原稿の回収を容易にすることができる。
【符号の説明】
【０１５３】
１    ：画像読取装置
２    ：筐体
３    ：シュータ
６    ：スタッカ
２０  ：フレーム
３１  ：搬送装置
３２  ：読取装置
３３〜３７：複数の搬送ガイド
４１〜４７：複数の搬送ローラ
６６  ：搬送路
６７  ：Ｕターン搬送路
６８  ：ストレート搬送路
７１  ：搬送路切替部
７３  ：複数の歯
７４  ：複数の歯
８１  ：厚さセンサ
８２  ：排出カード検出センサ
８３  ：切替ガイドアクチュエータ
８４  ：制御装置
１０１：搬送ガイド
１０２：複数の歯
１０３：搬送路切替部
１０４：複数の歯
１０５：カード保持部
１１３：搬送路切替部
１１４：複数の歯
１２１：搬送路切替部
１２２：ストッパ
１３１：搬送路切替部
１３２：カード保持部
１３３：手前側ストッパ
１３４：奥側ストッパ
１４１：搬送路切替部
１４２：ストッパ
１５１：搬送路切替部
１５３：傾斜路
１６１：搬送路切替部
１６２：第１搬送路切替部
１６３：第２搬送路切替部
１７１：搬送路切替部
１７２：第１搬送路切替部
１７３：第２搬送路切替部
【図１】
2018090365.tif 000003
【図２】
2018090365.tif 000004
【図３】
2018090365.tif 000005
【図４】
2018090365.tif 000006
【図５】
2018090365.tif 000007
【図６】
2018090365.tif 000008
【図７】
2018090365.tif 000009
【図８】
2018090365.tif 000010
【図９】
2018090365.tif 000011
【図１０】
2018090365.tif 000012
【図１１】
2018090365.tif 000013
【図１２】
2018090365.tif 000014
【図１３】
2018090365.tif 000015
【図１４】
2018090365.tif 000016
【図１５】
2018090365.tif 000017
【図１６】
2018090365.tif 000018
【図１７】
2018090365.tif 000019
【図１８】
2018090365.tif 000020
【図１９】
2018090365.tif 000021
【図２０】
2018090365.tif 000022
【図２１】
2018090365.tif 000023
【図２２】
2018090365.tif 000024
【図２３】
2018090365.tif 000025
【図２４】
2018090365.tif 000026
【図２５】
2018090365.tif 000027
【図２６】
2018090365.tif 000028
【図２７】
2018090365.tif 000029
【図２８】
2018090365.tif 000030
【図２９】
2018090365.tif 000031
【図３０】
2018090365.tif 000032
【図３１】
2018090365.tif 000033
【図３２】
2018090365.tif 000034
【図３３】
2018090365.tif 000035
【図３４】
2018090365.tif 000036
【図３５】
2018090365.tif 000037
【図３６】
2018090365.tif 000038
【図３７】
2018090365.tif 000039
【図３８】
2018090365.tif 000040
【図３９】
2018090365.tif 000041
【図４０】
2018090365.tif 000042
【図４１】
2018090365.tif 000043
【図４２】
2018090365.tif 000044
【図４３】
2018090365.tif 000045
【図４４】
2018090365.tif 000046
【図４５】
2018090365.tif 000047
【図４６】
2018090365.tif 000048
【図４７】
2018090365.tif 000049
【図４８】
2018090365.tif 000050
【図４９】
2018090365.tif 000051
【図５０】
2018090365.tif 000052
【図５１】
2018090365.tif 000053
【図５２】
2018090365.tif 000054
【図５３】
2018090365.tif 000055
【図５４】
2018090365.tif 000056
【図５５】
2018090365.tif 000057